(57)【要約】オーディオデバイスへの接続のための接続アセンブリが、コネクタモジュールであって、当該オーディオデバイスの嵌合コネクタへの電子接続のために構成されたコネクタと、当該コネクタモジュールを当該オーディオデバイスに保持するべく構成されたリリース可能なラッチとを含むコネクタモジュールと、当該コネクタモジュールに係合可能であって当該コネクタモジュールを当該オーディオデバイスから取り外すべく前記ラッチをリリースするように可動なアクチュエータと、当該ラッチをリリースする当該アクチュエータの動きに選択的に抵抗するべく構成されたロック構造とを含む。
2021532552.tif 000002
【特許請求の範囲】
【請求項１】
マイクロフォンへの接続のために構成された接続アセンブリであって、
前記マイクロフォンのマイクロフォンコネクタへの電子接続のために構成されたコネクタを有する第１端及び前記第１端に対向する第２端と、前記コネクタと通信する電子コンポーネントと、前記コネクタ及び前記電子コンポーネントを支持するケーシングとを含むコネクタモジュールであって、前記コネクタモジュールは、前記ケーシングの外周の一部分にわたって延びる第１ねじ部、及び前記第１ねじ部に対して凹んで前記第１ねじ部に隣接配置された第１通路を形成する第１側壁部を有し、前記コネクタモジュールはさらに、ラッチ部及び前記ラッチ部から離間して作動面を有する作動部を有するラッチを含み、前記ラッチは、ラッチ位置とリリース位置との間を枢動により可動であり、前記ラッチ位置では前記ラッチ部が前記マイクロフォンに係合するべく構成され、前記リリース位置では前記ラッチ部が、前記コネクタモジュールを前記マイクロフォンに接続したまま保持するようには構成されない、コネクタモジュールと、
開口を備えたキャビティを有するハウジングであって、前記コネクタモジュールが前記開口の中へと延び、前記コネクタモジュールの第２端が前記キャビティに受容され、前記ハウジングは、前記開口に対向するエンドキャップと、前記開口の少なくとも一部分のまわりに内向きに延びるリムとを有する、ハウジングと、
内面が画定する中央通路を有するカラーであって、前記コネクタモジュールが前記中央通路を貫通し、前記カラーは、外面から外向きに延びるフランジを有し、前記カラーは前記ハウジングのキャビティ内に可動に受容され、前記カラーは、前記カラーの頂部が前記ハウジングの開口の外へ延びる第１位置と、前記カラーが前記第１位置に対してさらに前記ハウジングの中へと軸方向に動いた第２位置との間で前記コネクタモジュールに対して軸方向に可動であり、前記カラーは前記カラーの内面に係合面を有し、前記係合面は、前記カラーが前記第２位置まで動かされるときに前記ラッチを前記リリース位置まで動かすべく、前記ラッチの作動面に係合するように構成され、前記ハウジングのリムは、前記カラーを前記キャビティの中に保持するべく前記フランジに係合するように構成される、カラーと、
前記ハウジングのエンドキャップと前記カラーとに係合して前記カラーを前記第１位置に向かうように付勢する付勢部材であって、前記第１位置から前記第２位置への前記カラーの動きが前記付勢部材を圧縮するように構成される、付勢部材と
を含み、
前記カラーはさらに前記内面に第２ねじ部を有し、
前記カラーはさらに、自由位置とロック位置との間を回転により可動であり、前記自由位置では、前記第２ねじ部が前記コネクタモジュールの第１通路内に位置して前記カラーが、前記第２ねじ部が前記第１通路内を軸方向に動くべく構成されるように前記第１位置と前記第２位置との間で可動となり、前記ロック位置では、前記第２ねじ部が前記コネクタモジュールの第１ねじ部に係合して前記カラーの軸方向の動きに抵抗し、
前記自由位置から前記ロック位置へ前記カラーが動いている間の前記第１ねじ部と前記第２ねじ部との係合が、前記カラーを前記コネクタモジュールの第１端に向けて軸方向に動かすように構成される、接続アセンブリ。
【請求項２】
前記電子コンポーネントは、メモリ及びプロセッサを含むコンピュータデバイスである、請求項１の接続アセンブリ。
【請求項３】
前記電子コンポーネントは無線送信器を含む、請求項１の接続アセンブリ。
【請求項４】
前記リムは、前記開口の全内周まわりに内向きに延び、
前記フランジは、前記カラーの外面の全周まわりに外向きに延びる、請求項１の接続アセンブリ。
【請求項５】
前記コネクタモジュールはさらに、前記ケーシングの外周の第２部分にわたって延びる第３ねじ部と、前記第３ねじ部に対して凹んだ第２側壁部であって、前記第３ねじ部に隣接して配置される第２通路を形成する第２側壁部とを有し、
前記第３ねじ部は前記第１ねじ部に対向して配置され、
前記カラーはさらに、前記第２ねじ部に対向する前記内面に第４ねじ部を有し、
前記第４ねじ部は、前記カラーが前記自由位置にあるとき、前記コネクタモジュールの第２通路内に位置して前記第２通路内を軸方向に動くように構成され、
前記第４ねじ部は、前記カラーが前記ロック位置にあるとき、前記コネクタモジュールの第３ねじ部に係合して前記カラーの軸方向の動きに抵抗する、請求項１の接続アセンブリ。
【請求項６】
前記コネクタはＸＬＲコネクタである、請求項１の接続アセンブリ。
【請求項７】
前記付勢部材は、前記ハウジングのキャビティ内に位置して前記コネクタモジュールのケーシングまわりに巻かれたコイルばねである、請求項１の接続アセンブリ。
【請求項８】
前記カラーの係合面は、前記カラーの上端のネック部によって画定され、
前記ラッチの作動面はスロープ面であり、
前記作動面及び前記係合面は双方とも前記カラーの中心軸に対して傾斜する、請求項１の接続アセンブリ。
【請求項９】
オーディオデバイスへの接続のために構成された接続アセンブリであって、
前記オーディオデバイスの嵌合コネクタへの電子接続のために構成されたコネクタ及び前記コネクタを支持するケーシングを含むコネクタモジュールであって、前記コネクタモジュールは、第１ロック構造、及び前記ケーシングが支持するラッチを有し、前記ラッチは、ラッチ部及び作動面を有してラッチ位置とリリース位置との間を可動であり、前記ラッチ位置では、前記ラッチ部が前記オーディオデバイスに係合して前記コネクタモジュールを前記オーディオデバイスと接続したまま保持するべく構成され、前記リリース位置では、前記ラッチ部が、前記コネクタモジュールを前記オーディオデバイスに接続したまま保持するようには構成されない、コネクタモジュールと、
開口を備えたキャビティを有するハウジングであって、前記コネクタモジュールが前記開口の中へと延びて前記コネクタモジュールの第１部分が前記キャビティに受容される、ハウジングと、
前記ハウジングのキャビティ内に可動に受容されて第１位置と前記第１位置から軸方向にシフトされた第２位置との間で前記コネクタモジュールに対して軸方向に可動なアクチュエータであって、前記ラッチの作動面に係合して前記アクチュエータが前記第２位置まで動いたときに前記ラッチを前記リリース位置まで動かすように構成された係合面を有するアクチュエータと
を含み、
前記アクチュエータはさらに第２ロック構造を有し、
前記アクチュエータはさらに、自由位置とロック位置との間で回転により可動であり、前記自由位置では、前記第２ロック構造が前記コネクタモジュールの第１ロック構造に係合しないで前記アクチュエータが前記第１位置と前記第２位置との間で可動となり、前記ロック位置では、前記第２ロック構造が前記コネクタモジュールの第１ロック構造に係合して前記アクチュエータの軸方向の動きに抵抗する、接続アセンブリ。
【請求項１０】
前記コネクタモジュールはさらに、前記コネクタと通信する電子コンポーネントを含み、
前記ケーシングが前記電子コンポーネントを支持する、請求項９の接続アセンブリ。
【請求項１１】
前記第１ロック構造と前記第２ロック構造とは相補的な傾斜面を有する、請求項９の接続アセンブリ。
【請求項１２】
前記第１ロック構造と前記第２ロック構造とは相補的なねじを有する、請求項９の接続アセンブリ。
【請求項１３】
前記第１ロック構造は第１ねじ部を含み、
前記第２ロック構造は、前記アクチュエータが前記ロック位置にあるときに前記第１ねじ部に係合するように構成された第２ねじ部を含む、請求項９の接続アセンブリ。
【請求項１４】
前記第１ロック構造はさらに、前記第１ねじ部に対向する第３ねじ部を含み、
前記第２ロック構造はさらに、前記第２ねじ部に対向する第４ねじ部を含み、
前記第４ねじ部は、前記アクチュエータが前記ロック位置にあるときに前記第３ねじ部に係合するように構成される、請求項１３の接続アセンブリ。
【請求項１５】
前記ハウジング及び前記アクチュエータに係合して前記アクチュエータを前記第１位置に向かうように付勢する付勢部材をさらに含む、請求項９の接続アセンブリ。
【請求項１６】
前記ラッチは、前記ラッチ位置と前記リリース位置との間を枢動により可動である、請求項９の接続アセンブリ。
【請求項１７】
前記アクチュエータが前記自由位置から前記ロック位置へと動く間の前記第１ロック構造と前記第２ロック構造との係合は、前記アクチュエータを前記コネクタモジュールの前記コネクタに向けて軸方向に動かすように構成される、請求項９の接続アセンブリ。
【請求項１８】
前記アクチュエータは、前記自由位置から前記ロック位置まで動く第１回転方向の回転と、前記ロック位置から前記自由位置まで動く前記第１回転方向に対向する第２回転方向の回転とを目的として構成され、
前記アクチュエータは、下端から延びる壁を有し、
前記コネクタモジュールは突起を有し、
前記アクチュエータが前記自由位置にあるとき、前記壁が前記突起に当接して前記アクチュエータの前記第２回転方向の回転に抵抗するように構成される、請求項９の接続アセンブリ。
【請求項１９】
前記壁は第１壁部及び第２壁部を含み、
前記第２壁部は、前記第１壁部よりも大きな軸方向長さを有し、
前記アクチュエータが前記自由位置にあるとき、前記第２壁部は、前記突起に当接して前記アクチュエータの前記第２回転方向の回転に抵抗するように構成される、請求項１８の接続アセンブリ。
【請求項２０】
前記壁はさらに、前記第１壁部と前記第２壁部との間に画定されたスロットを有し、
前記アクチュエータが前記自由位置にあるときに前記突起と前記スロットとが整列し、
前記アクチュエータが前記第２位置まで動くと前記突起は前記スロットに受容され、
前記アクチュエータが前記第２位置にあるとき、前記第２壁部は前記突起に当接して前記アクチュエータの前記第２回転方向の回転に抵抗するように構成され、前記第１壁部は前記突起に当接して前記アクチュエータの前記第１回転方向の回転に抵抗するように構成される、請求項１９の接続アセンブリ。
【請求項２１】
前記アクチュエータは、内面が画定する中央通路を有するカラーを含み、
前記コネクタモジュールは前記中央通路を貫通する、請求項９の接続アセンブリ。
【請求項２２】
マイクロフォンへの接続のために構成された接続アセンブリであって、
前記マイクロフォンのマイクロフォンコネクタへの電子接続のために構成されたコネクタと、前記コネクタと通信する電子コンポーネントと、前記コネクタ及び前記電子コンポーネントを支持するケーシングとを含むコネクタモジュールであって、前記コネクタモジュールは、前記ケーシングの外周における第１ねじ部及び前記第１ねじ部から分離した第１通路を有し、前記コネクタモジュールはさらに、ラッチ部及び前記ラッチ部から離間して作動面を有する作動部を有するラッチを含み、前記ラッチは、ラッチ位置とリリース位置との間を枢動により可動であり、前記ラッチ位置では前記ラッチ部が前記マイクロフォンに係合して前記コネクタモジュールを前記マイクロフォンに接続したまま保持するべく構成され、前記リリース位置では前記ラッチ部が、前記コネクタモジュールを前記マイクロフォンに接続したまま保持するようには構成されない、コネクタモジュールと、
開口を備えたキャビティを有するハウジングであって、前記コネクタモジュールが前記開口の中へと延びて前記コネクタモジュールの一部分が前記キャビティに受容される、ハウジングと、
内面が画定する中央通路を有するカラーであって、前記コネクタモジュールが前記中央通路を貫通し、前記カラーは前記ハウジングのキャビティ内に可動に受容され、前記カラーは、前記カラーの頂部が前記ハウジングの開口の外へ延びる第１位置と、前記カラーが前記第１位置に対してさらに前記ハウジングの中へと軸方向に動いた第２位置との間で前記コネクタモジュールに対して軸方向に可動であり、前記カラーは前記カラーの内面に係合面を有し、前記係合面は、前記カラーが前記第２位置まで動かされるときに前記ラッチを前記リリース位置まで動かすべく、前記ラッチの作動面に係合するように構成される、カラーと、
前記ハウジング及び前記カラーに係合して前記カラーを前記第１位置に向かうように付勢する付勢部材であって、前記第１位置から前記第２位置への前記カラーの動きが前記付勢部材を圧縮するように構成される、付勢部材と
を含み、
前記カラーはさらに、内面に第２ねじ部を有し、
前記カラーはさらに、自由位置とロック位置との間を回転により可動であり、前記自由位置では、前記第２ねじ部が前記コネクタモジュールの第１通路内に位置して前記カラーが、前記第２ねじ部が前記第１通路内を軸方向に動くように前記第１位置と前記第２位置との間で可動となり、前記ロック位置では、前記第２ねじ部が前記コネクタモジュールの第１ねじ部に係合して前記カラーの軸方向の動きに抵抗し、
前記自由位置から前記ロック位置へ前記カラーが動いている間の前記第１ねじ部と前記第２ねじ部との係合が、前記カラーを前記コネクタモジュールのコネクタに向けて軸方向に動かすように構成される、接続アセンブリ。
【請求項２３】
前記電子コンポーネントは、プロセッサ、メモリ及び無線送信器の少なくとも一つを含む、請求項２２の接続アセンブリ。
【請求項２４】
前記コネクタモジュールはさらに、前記第１ねじ部に対向する外周に第３ねじ部を含み、
前記カラーはさらに、前記第２ねじ部に対向する内面に第４ねじ部を含み、
前記第４ねじ部は、前記カラーが前記ロック位置にあるときに前記第３ねじ部に係合するように構成される、請求項２２の接続アセンブリ。
【請求項２５】
前記付勢部材は、前記ハウジングのキャビティ内に位置して前記コネクタモジュールのケーシングまわりに巻かれたコイルばねである、請求項２２の接続アセンブリ。
【請求項２６】
前記カラーの係合面は、前記カラーの上端のネック部によって画定され、
前記ラッチの作動面はスロープ面であり、
前記作動面及び前記係合面は双方とも前記カラーの中心軸に対して傾斜する、請求項２２の接続アセンブリ。
【請求項２７】
前記コネクタモジュールはさらに、前記ラッチを前記ラッチ位置に向かうように付勢するべく構成された第２付勢部材を含む、請求項２２の接続アセンブリ。
【請求項２８】
マイクロフォンアセンブリであって、
オーディオ受信器と、前記オーディオ受信器に接続されたマイクロフォン本体と、前記マイクロフォン本体に接続されて前記オーディオ受信器と通信するマイクロフォンコネクタとを有するマイクロフォンであって、前記マイクロフォン本体は、前記マイクロフォンコネクタに近接する係合面を有する、マイクロフォンと、
前記マイクロフォンへの接続のために構成された接続アセンブリと
を含み、
前記接続アセンブリは、
前記マイクロフォンコネクタへの電子接続のために構成されたコネクタと、前記コネクタと通信する電子コンポーネントと、前記コネクタ及び前記電子コンポーネントを支持するケーシングとを含むコネクタモジュールであって、前記コネクタモジュールは、前記ケーシングの外周における第１ねじ部及び前記第１ねじ部から分離した第１通路を有し、前記コネクタモジュールはさらに、ラッチ部及び前記ラッチ部から離間して作動面を有する作動部を有するラッチを含み、前記ラッチは、ラッチ位置とリリース位置との間を枢動により可動であり、前記ラッチ位置では前記ラッチ部が前記マイクロフォンに係合して前記コネクタモジュールを前記マイクロフォンに接続したまま保持するべく構成され、前記リリース位置では前記ラッチ部が、前記コネクタモジュールを前記マイクロフォンに接続したまま保持するようには構成されない、コネクタモジュールと、
開口を備えたキャビティを有するハウジングであって、前記コネクタモジュールが前記開口の中へと延びて前記コネクタモジュールの一部分が前記キャビティに受容され、前記ハウジングは、前記ハウジングの内部の少なくとも一部分のまわりに内向きに延びるリムを有する、ハウジングと、
内面が画定する中央通路を有するカラーであって、前記コネクタモジュールが前記中央通路を貫通し、前記カラーは、外面から外向きに延びるフランジを有し、前記カラーは前記ハウジングのキャビティ内に可動に受容され、前記カラーは、前記カラーの頂部が前記ハウジングの開口の外へ延びて前記ハウジングのリムが前記フランジに係合して前記カラーの前記開口を通る外向きへのさらなる動きを制限する第１位置と、前記カラーが前記第１位置に対してさらに前記ハウジングの中へと軸方向に動いた第２位置との間で前記コネクタモジュールに対して軸方向に可動であり、前記カラーは前記カラーの内面に係合面を有し、前記係合面は、前記カラーが前記第２位置まで動かされるときに前記ラッチを前記リリース位置まで動かすべく、前記ラッチの作動面に係合するように構成される、カラーと、
前記ハウジング及び前記カラーに係合して前記カラーを前記第１位置に向かうように付勢する付勢部材であって、前記第１位置から前記第２位置への前記カラーの動きが前記付勢部材を圧縮するように構成される、付勢部材と
を含み、
前記カラーはさらに、内面に第２ねじ部を有し、
前記カラーはさらに、自由位置とロック位置との間を回転により可動であり、前記自由位置では、前記第２ねじ部が前記コネクタモジュールの第１通路内に位置して前記カラーが、前記第２ねじ部が前記第１通路内を軸方向に動くように前記第１位置と前記第２位置との間で可動となり、前記ロック位置では、前記第２ねじ部が前記コネクタモジュールの第１ねじ部に係合して前記カラーの軸方向の動きに抵抗し、
前記自由位置から前記ロック位置へ前記カラーが動いている間の前記第１ねじ部と前記第２ねじ部との係合が、前記カラーを前記マイクロフォンに向けて軸方向に動かして前記カラーを、前記マイクロフォンに密接に係合するように押し込むように構成される、マイクロフォンアセンブリ。
【請求項２９】
前記マイクロフォン本体は、前記オーディオ受信器に対向する前記マイクロフォンの一端に凹部を有し、
前記マイクロフォンコネクタが前記凹部内に位置し、
前記コネクタモジュールのコネクタが、前記凹部に受容されて前記マイクロフォンコネクタに接続されるように構成される、請求項２８のマイクロフォンアセンブリ。
【請求項３０】
前記電子コンポーネントは、プロセッサ、メモリ及び無線送信器の少なくとも一つを含む、請求項２８のマイクロフォンアセンブリ。
【請求項３１】
前記カラーの係合面は、前記カラーの上端のネック部によって画定され、
前記ラッチの作動面はスロープ面であり、
前記作動面及び前記係合面は双方とも前記カラーの中心軸に対して傾斜し、
前記コネクタが前記マイクロフォンコネクタに接続されて前記カラーが前記ロック位置にあるとき、前記カラーの上端が、前記マイクロフォンコネクタに近接する前記マイクロフォンの一端に係合するように構成される、請求項２８のマイクロフォンアセンブリ。
【請求項３２】
オーディオデバイスへの接続のために構成された接続アセンブリであって、
コネクタモジュールであって、前記オーディオデバイスの嵌合コネクタへの電子接続のために構成されたコネクタと、前記コネクタモジュールを前記オーディオデバイスに保持するべく構成されたリリース可能なラッチとを含むコネクタモジュールと、
前記コネクタモジュールに係合可能なアクチュエータであって、前記オーディオデバイスから前記コネクタモジュールを取り外すべく前記ラッチをリリースするように可動なアクチュエータと、
前記ラッチをリリースする前記アクチュエータの動きに選択的に抵抗するべく構成されたロック構造と
を含む、接続アセンブリ。
【請求項３３】
前記アクチュエータは、第１位置と第２位置との間で前記コネクタモジュールに対して可動であり、
前記アクチュエータは、前記アクチュエータが前記第２位置まで動いたときに前記ラッチをリリースするべく前記ラッチに係合するように構成された係合面を有する、請求項３２の接続アセンブリ。
【請求項３４】
前記アクチュエータは、前記第２位置が前記第１位置から軸方向にシフトされるように前記第１位置と前記第２位置との間を軸方向に可動である、請求項３３の接続アセンブリ。
【請求項３５】
前記アクチュエータに係合して前記アクチュエータを前記第１位置に向かうように付勢するべく構成された付勢部材をさらに含む、請求項３３の接続アセンブリ。
【請求項３６】
前記ラッチは、ラッチ位置とリリース位置との間で可動であり、前記ラッチ位置では前記ラッチが前記オーディオデバイスに係合して前記コネクタモジュールを前記オーディオデバイスに接続したまま保持するように構成され、前記リリース位置では前記ラッチが前記コネクタモジュールを前記オーディオデバイスに接続したまま保持するようには構成されない、請求項３２の接続アセンブリ。
【請求項３７】
前記アクチュエータはさらに、自由位置とロック位置との間で可動であり、前記自由位置では前記アクチュエータが前記ラッチをリリースするべく可動であり、前記ロック位置では前記ロック構造が前記ラッチをリリースする前記アクチュエータの動きに抵抗する、請求項３２の接続アセンブリ。
【請求項３８】
前記アクチュエータは、前記自由位置と前記ロック位置との間を回転により可動である、請求項３７の接続アセンブリ。
【請求項３９】
前記ロック構造は、前記コネクタモジュールの第１ロック構造と、前記アクチュエータの第２ロック構造とを有し、
前記アクチュエータは、前記ラッチをリリースする前記アクチュエータの動きに抵抗するべく前記第２ロック構造を前記第１ロック構造に係合させることと、前記ラッチをリリースする前記アクチュエータの動きを許容するべく前記第２ロック構造を前記第１ロック構造から係合解除することとのために可動である、請求項３２の接続アセンブリ。
【請求項４０】
ハウジングをさらに含み、
前記コネクタモジュール及び前記アクチュエータが少なくとも部分的に前記ハウジングに受容され、前記アクチュエータは前記ハウジングの中に可動に受容される、請求項３２の接続アセンブリ。
【請求項４１】
オーディオデバイスへの接続のために構成された接続アセンブリであって、
コネクタモジュールであって、前記オーディオデバイスの嵌合コネクタへの電子接続のために構成されたコネクタと、前記コネクタモジュールを前記オーディオデバイスに保持するべく構成されたリリース可能なラッチとを含むコネクタモジュールと、
ハウジングであって、前記コネクタモジュール及び前記アクチュエータが少なくとも部分的に前記ハウジングに受容される、ハウジングと、
前記ハウジングに可動に受容されて前記コネクタモジュールまわりに延びるカラーであって、前記オーディオデバイスから前記コネクタモジュールを取り外すべく前記ラッチをリリースするように可動なカラーと
を含む、接続アセンブリ。
【請求項４２】
前記カラーは、第１位置と第２位置との間で前記コネクタモジュールに対して可動であり、
前記カラーは、前記カラーが前記第２位置まで動いたときに前記ラッチをリリースするべく前記ラッチに係合するように構成された係合面を有する、請求項４１の接続アセンブリ。
【請求項４３】
前記カラーは、前記第２位置が前記第１位置から軸方向にシフトされるように前記第１位置と前記第２位置との間を軸方向に可動である、請求項４２の接続アセンブリ。
【請求項４４】
前記カラーに係合して前記アクチュエータを前記第１位置に向かうように付勢するべく構成された付勢部材をさらに含む、請求項４２の接続アセンブリ。
【請求項４５】
前記ラッチは、ラッチ位置とリリース位置との間で可動であり、前記ラッチ位置では前記ラッチが前記オーディオデバイスに係合して前記コネクタモジュールを前記オーディオデバイスに接続したまま保持するように構成され、前記リリース位置では前記ラッチが前記コネクタモジュールを前記オーディオデバイスに接続したまま保持するようには構成されない、請求項４１の接続アセンブリ。
【請求項４６】
前記ラッチをリリースする前記アクチュエータの動きに選択的に抵抗するべく構成されたロック構造をさらに含む、請求項４１の接続アセンブリ。
【請求項４７】
前記カラーはさらに、自由位置とロック位置との間で可動であり、前記自由位置では前記カラーが前記ラッチをリリースするべく可動であり、前記ロック位置では前記ロック構造が前記ラッチをリリースする前記カラーの動きに抵抗する、請求項４６の接続アセンブリ。
【請求項４８】
前記カラーは、前記自由位置と前記ロック位置との間を回転により可動である、請求項４７の接続アセンブリ。
【請求項４９】
前記ロック構造は、前記コネクタモジュールの第１ロック構造と、前記カラーの第２ロック構造とを有し、
前記カラーは、前記ラッチをリリースする前記アクチュエータの動きに抵抗するべく前記第２ロック構造を前記第１ロック構造に係合させることと、前記ラッチをリリースする前記アクチュエータの動きを許容するべく、前記第２ロック構造を前記第１ロック構造から係合解除することとのために可動である、請求項４６の接続アセンブリ。
【請求項５０】
マイクロフォンアセンブリであって、
オーディオ受信器と、前記オーディオ受信器に接続されたマイクロフォン本体と、前記マイクロフォン本体に接続されて前記オーディオ受信器と通信するマイクロフォンコネクタとを含むマイクロフォンと、
接続アセンブリと
を含み、
前記接続アセンブリは、
コネクタモジュールであって、前記マイクロフォンのマイクロフォンコネクタへの電子接続のために構成されたコネクタと、前記コネクタモジュールを前記マイクロフォンに保持するべく構成されたリリース可能なラッチとを含むコネクタモジュールと、
前記コネクタモジュールに係合可能なアクチュエータであって、前記マイクロフォンから前記コネクタモジュールを取り外すべく前記ラッチをリリースするように可動なアクチュエータと、
前記ラッチをリリースする前記アクチュエータの動きに選択的に抵抗するべく構成されたロック構造と
を含む、マイクロフォンアセンブリ。
【請求項５１】
マイクロフォンアセンブリであって、
オーディオ受信器と、前記オーディオ受信器に接続されたマイクロフォン本体と、前記マイクロフォン本体に接続されて前記オーディオ受信器と通信するマイクロフォンコネクタとを含むマイクロフォンと、
接続アセンブリと
を含み、
前記接続アセンブリは、
コネクタモジュールであって、前記マイクロフォンのマイクロフォンコネクタへの電子接続のために構成されたコネクタと、前記コネクタモジュールを前記マイクロフォンに保持するべく構成されたリリース可能なラッチとを含むコネクタモジュールと、
ハウジングであって、前記コネクタモジュール及び前記アクチュエータが少なくとも部分的に前記ハウジングに受容される、ハウジングと、
前記ハウジングに可動に受容されて前記コネクタモジュールまわりに延びるカラーであって、前記マイクロフォンから前記コネクタモジュールを取り外すべく前記ラッチをリリースするように可動なカラーと
を含む、マイクロフォンアセンブリ。
【発明の詳細な説明】
【技術分野】
【０００１】
関連出願
本願は、２０１８年８月８日に出願された米国特許出願第１６／０５８，４４４号の優先権を主張し、これは、あらゆる目的のためにその全体が参照によりここに組み込まれる。
【０００２】
本開示は、オーディオ機器用接続アセンブリと、かかる接続アセンブリが接続されたオーディオデバイスを含むアセンブリとに関し、詳しくは、マイクロフォンコネクタへの接続のための接続アセンブリに関する。
【背景技術】
【０００３】
入力デバイス、出力デバイス、処理デバイス、記憶デバイス等を含むオーディオデバイスは典型的に、互いとの接続のための物理的接続部を含む。かかる物理的接続部は、ジャック、ポート、プラグ、及び他のコネクタを使用して作られる。しかしながら、かかる既存の物理的接続部は一般に、接続及び接続解除が確実及び容易双方となる構成で与えられることがない。加えて、マイクロフォンのようないくつかのオーディオデバイスには、かかる物理的接続部を介して当該オーディオデバイスに接続可能な内蔵モジュールが備えられている。この内蔵モジュールは、無線送信のような機能、信号の処理、又は他の動作を与える。迅速かつ容易に接続及び接続解除され得る確実な接続部の必要性は、かかる内蔵モジュールに関して特に感じられている。
【０００４】
本開示は、この必要性及び他の必要性に対し、マイクロフォン及び他のオーディオデバイスへの接続のための既存の接続アセンブリにおいて対処するべく与えられる。本発明の特徴及び利点の完全な説明は、添付図面を参照して進行する以下の詳細な説明に委ねられる。
【先行技術文献】
【特許文献】
【０００５】
【特許文献１】米国特許出願公開第２００６／０３３２１８（Ａ１）号明細書
【特許文献２】米国特許出願公開第２００７／２３７３４４（Ａ１）号明細書
【発明の概要】
【０００６】
本開示の複数の態様は、マイクロフォン又は他のオーディオデバイスへの接続のために構成された接続アセンブリであって、オーディオデバイスの嵌合コネクタに電子的に接続するために構成されたコネクタ及び当該コネクタを支持するケーシングを含むコネクタモジュールと、開口を備えたキャビティを有するハウジングであって、当該コネクタモジュールが当該開口の中へと延びて当該コネクタモジュールの第１部分が当該キャビティに受容される、ハウジングと、当該ハウジングのキャビティの中に可動に受容されるアクチュエータとを含む接続アセンブリに関する。コネクタモジュールは、第１ロック構造と、ケーシングに支持されたラッチとを有し、当該ラッチは、ラッチ部及び作動面を有する。ラッチは、ラッチ位置とリリース位置との間で可動であり、当該ラッチ位置ではラッチ部がオーディオデバイスに係合してコネクタモジュールを当該オーディオデバイスに接続したまま保持するように構成され、当該リリース位置では当該ラッチ部がコネクタモジュールを当該オーディオデバイスに接続したまま保持するようには構成されない。アクチュエータは、第１位置と、当該第１位置から軸方向にシフトされた第２位置との間でコネクタモジュールに対して軸方向に可動である。アクチュエータは、ラッチの作動面に係合して当該アクチュエータが第２位置まで動いたときに当該ラッチをリリース位置まで動かすように構成された係合面を有する。アクチュエータはさらに第２ロック構造を有する。アクチュエータはさらに、自由位置とロック位置との間で回転により可動である。自由位置では、第２ロック構造がコネクタモジュールの第１ロック構造に係合しないで当該アクチュエータが第１位置と第２位置との間で可動となり、ロック位置では、当該第２ロック構造が当該コネクタモジュールの第１ロック構造に係合して当該アクチュエータの軸方向の動きに抵抗する。
【０００７】
一態様によれば、コネクタモジュールはさらに、コネクタと通信する電子コンポーネントを含み、ケーシングは当該電子コンポーネントを支持する。電子コンポーネントは、コンピュータデバイス、又は当該コンピュータデバイスの任意のコンポーネント、例えば無線送信器、を含み得る。
【０００８】
他態様によれば、第１ロック構造と第２ロック構造とは相補的な傾斜面を有する。例えば、第１ロック構造及び第２ロック構造は、相補的なねじ切りの形式であってよい。第１ロック構造は第１ねじ部を含み、第２ロック構造は、アクチュエータがロック位置にあるときに第１ねじ部に係合するように構成された第２ねじ部を含み得る。一実施形態において、第１ロック構造はさらに、第１ねじ部に対向する第３ねじ部を含み、第２ロック構造はさらに、第２ねじ部に対向する第４ねじ部を含む。第４ねじ部は、アクチュエータがロック位置にあるときに第３ねじ部に係合するように構成される。
【０００９】
さらなる態様によれば、接続アセンブリはさらに、ハウジング及びアクチュエータに係合して当該アクチュエータを第１位置に向かうように付勢する付勢部材を含む。
【００１０】
さらなる他態様によれば、ラッチは、ラッチ位置とリリース位置との間を枢動により可動である。
【００１１】
さらなる態様によれば、アクチュエータが自由位置からロック位置へと動く間の第１ロック構造と第２ロック構造との係合は、アクチュエータをコネクタモジュールのコネクタに向けて軸方向に動かすように構成される。
【００１２】
付加的な態様によれば、アクチュエータは、自由位置からロック位置まで動く第１回転方向の回転と、当該ロック位置から当該自由位置まで動く第１回転方向に対向する第２回転方向の回転とを目的として構成される。アクチュエータは、下端から延びる壁を有する。コネクタモジュールは突起を有し、アクチュエータが自由位置にあるとき、壁が当該突起に当接して当該アクチュエータの第２回転方向の回転に抵抗するように構成される。一実施形態において、壁は、第１壁部及び第２壁部を含み、第２壁部は、第１壁部よりも大きな軸方向長さを有する。アクチュエータが自由位置にあるとき、第２壁部が、突起に当接して当該アクチュエータの第２回転方向の回転に抵抗するように構成される。この実施形態において、壁はさらに、第１壁部と第２壁部との間に画定されたスロットを有してよい。アクチュエータが自由位置にあるときに突起とスロットとが整列し、当該アクチュエータが第２位置まで動くと当該突起はスロットに受容される。この構成においてアクチュエータが第２位置にあるとき、第２壁部は突起に当接してアクチュエータの第２回転方向の回転に抵抗するように構成され、第１壁部は当該突起に当接して当該アクチュエータの第１回転方向の回転に抵抗するように構成される。
【００１３】
さらなる態様によれば、アクチュエータは、内面が画定する中央通路を有するカラーを含み、コネクタモジュールは、この中央通路を貫通する。
【００１４】
本開示の付加的な態様は、マイクロフォンへの接続のために構成された接続アセンブリであって、当該マイクロフォンのマイクロフォンコネクタに電子的に接続するように構成されたコネクタと、当該コネクタと通信する電子コンポーネントと、当該コネクタ及び当該電子コンポーネントを支持するケーシングと、ハウジングと、カラーとを有するコネクタモジュールを含む接続アセンブリに関する。コネクタモジュールは、ケーシングの外周上の第１ねじ部と、当該第１ねじ部から離れた第１通路とを有する。コネクタモジュールはさらに、ラッチ部と当該ラッチ部から離間されて作動面を有する作動部とを有するラッチを含む。ラッチは、ラッチ位置とリリース位置との間で枢動により可動であり、当該ラッチ位置ではラッチ部がマイクロフォンに係合してコネクタモジュールを当該マイクロフォンに接続したまま保持するように構成され、当該リリース位置では当該ラッチ部がコネクタモジュールをマイクロフォンに接続したまま保持するようには構成されない。ハウジングは、開口を備えたキャビティを有し、コネクタモジュールは、当該コネクタモジュールの一部分が当該キャビティに受容されるように当該開口の中へと延びる。カラーは、内面が画定する中央通路を有し、コネクタモジュールが当該中央通路を通るように延びる。カラーは、ハウジングのキャビティ内に可動に受容され、当該カラーの頂部がハウジングの開口から出るように延びる第１位置と、当該カラーが第１位置よりもハウジング内にさらに軸方向に動いた第２位置との間でコネクタモジュールに対して軸方向に可動である。カラーは、当該カラーの内面に係合面を有し、この係合面は、当該カラーが第２位置に動いたときにラッチをリリース位置まで動かすようにラッチの作動面に係合するべく構成される。接続アセンブリはさらに、ハウジング及びカラーに係合して当該カラーを第１位置に向かうように付勢する付勢部材を含み、第１位置から第２位置への当該カラーの移動が当該付勢部材を圧縮するように構成される。カラーはさらに、内面に第２ねじ部を有する。カラーはさらに、自由位置とロック位置との間を回転により可動である。自由位置では、第２ねじ部がコネクタモジュールの第１通路内に位置し、カラーは第２ねじ部が第１通路内を軸方向に動くように第１位置と第２位置との間で可動となり、ロック位置では、第２ねじ部がコネクタモジュールの第１ねじ部に係合し、当該カラーの軸方向の動きに抵抗する。自由位置からロック位置へカラーが動いている間の第１ロック構造と第２ロック構造との係合はまた、当該カラーをコネクタモジュールのコネクタに向けて軸方向に動かすように構成される。
【００１５】
一態様によれば、電子コンポーネントは、プロセッサ、メモリ及び無線送信器の少なくとも一つを含む。
【００１６】
他態様によれば、コネクタモジュールはさらに、第１ねじ部に対向する外周に第３ねじ部を含み、カラーはさらに、第２ねじ部に対向する内面に第４ねじ部を含み、第４ねじ部は、当該カラーがロック位置にあるときに第３ねじ部に係合するように構成される。
【００１７】
なおもさらなる態様によれば、付勢部材は、ハウジングのキャビティ内に配置されてコネクタモジュールのケーシングまわりに巻かれたコイルばねである。
【００１８】
付加的な態様によれば、カラーの係合面は、当該カラーの上端のネック部によって画定され、ラッチの作動面はスロープ面であり、当該作動面及び係合面は双方とも当該カラーの中心軸に対して傾斜している。
【００１９】
さらなる態様によれば、コネクタモジュールはさらに、ラッチをラッチ位置に向かうように付勢するべく構成された第２付勢部材を含む。
【００２０】
本開示のさらなる態様は、マイクロフォンへの接続のために構成された接続アセンブリであって、当該マイクロフォンのマイクロフォンコネクタへの電子的接続のために構成されたコネクタを有する第１端及び当該第１端に対向する第２端部を含むコネクタモジュールと、当該コネクタと通信する電子コンポーネントと、当該コネクタ及び当該電子コンポーネントを支持するケーシングと、ハウジングと、カラーとを含む接続アセンブリに関する。コネクタモジュールは、ケーシングの外周の一部分にわたって延びる第１ねじ部と、第１ねじ部に対して凹んだ第１側壁部であって、当該第１ねじ部に隣接して配置される第１通路を形成する第１側壁部とを有する。コネクタモジュールはさらに、ラッチ部と当該ラッチ部から離間されて作動面を有する作動部とを有するラッチを含む。ラッチは、ラッチ部がマイクロフォンに係合するように構成されたラッチ位置と、当該ラッチ部がコネクタモジュールをマイクロフォンに接続したまま保持するようには構成されないリリース位置との間で枢動により可動である。ハウジングは開口を備えたキャビティを有し、コネクタモジュールは当該開口の中へと延び、当該コネクタモジュールの第２端が当該キャビティに受容される。ハウジングは、開口に対向するエンドキャップと、当該開口の少なくとも一部分のまわりに内向きに延びるリムとを有する。カラーは、内面により画定される中央通路と、外面から外向きに延びるフランジとを有する。コネクタモジュールは中央通路を通るように延びる。カラーは、ハウジングのキャビティ内に可動に受容されてコネクタモジュールに対して第１位置と第２位置との間で軸方向に可動である。第１位置では、カラーの頂部がハウジングの開口から外に延びて当該ハウジングのリムがフランジに係合することにより、当該カラーが当該開口を通って外方へさらに動くことが制限される。第２位置では、カラーが第１位置よりもさらにハウジングの中へ軸方向に動く。カラーは、当該カラーの内面に係合面を有し、この係合面は、当該カラーが第２位置に動いたときにラッチをリリース位置まで動かすようにラッチの作動面に係合するべく構成される。接続アセンブリはさらに、ハウジングのエンドキャップとカラーとに係合して当該カラーを第１位置に向かうように付勢する付勢部材を含む。第１位置から第２位置へのカラーの動きは、付勢部材を圧縮するように構成される。カラーはさらに、内面に第２ねじ部を有する。カラーはさらに、自由位置とロック位置との間を回転により可動である。自由位置では、第２ねじ部がコネクタモジュールの第１通路内に位置し、カラーは第２ねじ部が第１通路内を軸方向に動くべく構成されるように第１位置と第２位置との間で可動となり、ロック位置では、第２ねじ部がコネクタモジュールの第１ねじ部に係合し、当該カラーの軸方向の動きに抵抗する。自由位置からロック位置へカラーが動いている間の第１ねじ部と第２ねじ部との係合は、当該カラーをコネクタモジュールの第１端に向けて軸方向に動かすように構成される。コネクタは、一実施形態においてＸＬＲコネクタとしてよい。
【００２１】
一態様によれば、電子コンポーネントは、メモリ及びプロセッサを含むコンピュータデバイスとしてよく、並びに／又は、電子コンポーネントは、無線送信器を含んでよい。
【００２２】
他態様によれば、リムは、開口の全内周まわりに内向きに延び、フランジは、カラーの外面の全周まわりに外向きに延びる。
【００２３】
さらなる態様によれば、コネクタモジュールはさらに、ケーシングの外周の第２部分にわたって延びる第３ねじ部と、第３ねじ部に対して凹んだ第２側壁部であって、当該第３ねじ部に隣接して配置される第２通路を形成する第２側壁部とを有する。第３ねじ部は、第１ねじ部に対向して配置される。カラーはさらに、第２ねじ部に対向する内面に第４ねじ部を有する。カラーが自由位置にあるとき、第４ねじ部は、コネクタモジュールの第２通路内に位置し、第２通路内を軸方向に動くように構成される。カラーがロック位置にあるとき、第４ねじ部は、コネクタモジュールの第３ねじ部に係合し、カラーの軸方向の動きに抵抗する。
【００２４】
さらなる他態様によれば、付勢部材は、ハウジングのキャビティ内に位置してコネクタモジュールのケーシングまわりに巻かれたコイルばねである。
【００２５】
さらなる他態様によれば、カラーの係合面は、当該カラーの上端のネック部によって画定され、ラッチの作動面はスロープ面である。作動面及び係合面は双方ともカラーの中心軸に対して傾斜する。
【００２６】
本開示の他態様は、オーディオデバイスを含むアセンブリであって、ここに記載の接続アセンブリがオーディオデバイスのコネクタに接続されたアセンブリに関する。例えば、一実施形態において、アセンブリは、マイクロフォンアセンブリであり、オーディオ受信器と、当該オーディオ受信器に接続されたマイクロフォン本体と、当該マイクロフォン本体に接続されてオーディオ受信器と通信するマイクロフォンコネクタとを有するマイクロフォンを含む。マイクロフォン本体は、マイクロフォンコネクタに近接する係合面を有する。ここに記載される接続アセンブリがマイクロフォンに接続される。マイクロフォンコネクタが接続アセンブリのコネクタに接続されてラッチがラッチ位置にあるとき、接続アセンブリのラッチがマイクロフォン本体の係合面に係合し得る。ラッチは、マイクロフォンの係合面に係合してこの接続を達成するラッチ部を含み得る。ラッチをリリース位置まで移動させることにより、接続アセンブリをマイクロフォンから取り外すことができる。
【００２７】
一態様によれば、マイクロフォン本体は、オーディオ受信器に対向するマイクロフォンの一端に凹部を有する。マイクロフォンコネクタが凹部内に位置するので、コネクタモジュールのコネクタが、当該凹部に受容されてマイクロフォンコネクタに接続されるように構成される。
【００２８】
他態様によれば、電子コンポーネントは、プロセッサ、メモリ及び無線送信器の少なくとも一つを含む。
【００２９】
さらなる態様によれば、カラーの係合面は、カラーの上端のネック部によって画定され、ラッチの作動面はスロープ面である。作動面及び係合面は双方ともカラーの中心軸に対して傾斜する。コネクタがマイクロフォンコネクタに接続されてカラーがロック位置にあるとき、当該カラーの上端が、マイクロフォンコネクタに近接するマイクロフォンの一端に係合するように構成される。
【００３０】
本開示の他の特徴及び利点が、添付図面を併用した以下の説明から明らかになる。
【図面の簡単な説明】
【００３１】
本開示のさらに完全な理解を許容するべく、添付図面を参照して、本開示が、例を介して以下に説明される。
【００３２】
【図１】マイクロフォンに接続された本開示の態様に係る接続アセンブリの一実施形態を備えたマイクロフォンの形態のオーディオデバイスを含むアセンブリの斜視図である。
【図２】図１の接続アセンブリの斜視図である。
【図３】図１のアセンブリの分解図である。
【図４】図１の接続アセンブリのコネクタモジュールの斜視図である。
【図５】カラーの形態の図１の接続アセンブリのアクチュエータの斜視図である。
【図６】図２の６−６線に沿った断面図である。
【図７】図６の７−７線に沿った断面図である。
【図８】カラーが自由位置にあるときの図１の８−８線に沿った断面図である。
【図９】カラーがロック位置にあるときの図８のアセンブリの断面図である。
【図１０】図８のアセンブリの断面図であり、自由位置まで戻されたカラーを示す。
【図１１】図１０のアセンブリの断面図であり、接続アセンブリのラッチをリリース位置まで作動させる第２位置にあるカラーを示す。
【図１２】本開示の態様に係る電子デバイスとして機能することができるコンピュータデバイスの一実施形態と、そのコンピュータデバイスを含むコンピューティングシステムを模式的に描く。
【発明を実施するための形態】
【００３３】
本発明は多くの異なる形式の実施形態を受け入れる余地があるところ、本開示が本発明の原理の例示とみなされるべきであって本発明の広い態様が図示の実施形態に限られるとは意図されないことを理解しながら、本発明の複数の実施形態の例が図面に示され、ここに詳細に説明される。本発明に係る様々な構造例の以下の説明において、添付図面が参照される。この図面は本発明の一部を形成し、この図面において、本発明の態様が実施され得る様々なデバイス、システム及び環境の例が図示を介して示される。理解すべきことだが、本発明の範囲から逸脱することなく部品、デバイス、システム及び環境の例の他の特定の配列が利用されてよく、構造上の及び機能上の修正がなされてよい。
【００３４】
本開示の一般的な態様は、オーディオデバイスの電子コネクタ、例えば、デバイスから／へのオーディオ信号の入力及び／又は出力のためのコネクタ、への接続のための接続アセンブリに関する。図１〜１１は、マイクロフォン１２の形式のオーディオデバイスを含むアセンブリ１０の一実施形態を示す。接続アセンブリ１４はマイクロフォン１２に接続される。図１〜１１はマイクロフォン１２を示すが、他実施形態において、スピーカ、ヘッドフォン、メディアプレーヤー等のオーディオ入力及び／又は出力用に構成されたデバイスを含む他のオーディオデバイスを使用してもよい。マイクロフォン１２は、対向する第１端２２及び第２端２４を備えたマイクロフォン本体２０を有する。オーディオ入力部又はオーディオ受信器２６、及びコネクタ２８が、対向端２２、２４に配置される。本実施形態におけるコネクタ２８は、ＸＬＲ形式のオス型コネクタであり、３つのピン２９がマイクロフォン本体２０の第２端２４の凹部２７の内部に位置する。他実施形態において、ＸＬＲ形式のオス型若しくはメス型コネクタ又は他のタイプの電気コネクタを含む他のタイプのコネクタ２８を使用してよい。かかるコネクタは、オーディオデバイスのオーディオコンポーネント、例えばマイクロフォン１２のオーディオ受信器２６と通信することができ、及び／又は、プロセッサ、メモリ、送信器／受信器（ＴＸ／ＲＸ）、電源等のような他の電気コンポーネントと通信することができ、オーディオ信号又は他の電気信号及び／又はデータ、電力等を搬送するように構成することができる。図１〜１１の実施形態において、コネクタ２８（マイクロフォンコネクタ２８とも称する）は、マイクロフォンからオーディオ信号（デジタル又はアナログ）を通信するべく構成されるとともに、随意的に電源も与えるべく構成される。
【００３５】
図１〜１１の接続アセンブリ１４の実施形態は、コネクタモジュール３０と、コネクタモジュール３０の少なくとも一部分を受容するハウジング５０と、コネクタモジュール３０まわりに少なくとも部分的に延びるアクチュエータ６０とを含む。接続アセンブリ１４はさらに、コネクタ２８との接続を介してマイクロフォン１２又は他のオーディオデバイスと通信するように構成された一以上の電子デバイス１６を含み得る。電子デバイス１６は、図４に模式的に示される。一実施形態において、電子デバイス１６は、少なくとも無線送信器及び／又は受信器を含む。他実施形態において、電子デバイス１６は、プロセッサ、メモリ、及び／又は様々な他の電子コンポーネントを付加的又は代替的に含んでよい。コンピュータデバイスの形式の電子デバイス１６の一実施形態が、図１２に示され、ここに詳細に説明される。電子デバイス１６は、図１２におけるコンポーネントのいずれか又はすべて、及び付加的なコンポーネントを含み得ることが理解される。他実施形態において、接続アセンブリ１４は、多数の電子デバイス１６を含んでよく、又は電子デバイスを含まなくてもよい。例えば、接続アセンブリ１４は、ワイヤ又はケーブルをオーディオデバイス１２に接続するために設けられてよい。接続アセンブリ１４は、ここに記載されるように、接続アセンブリ１４とオーディオデバイスとの間の接続を確実にし、及び／又はかかる接続を解除するための一以上の特徴を有する。
【００３６】
コネクタモジュール３０は、ケーシング３１と、ケーシング３１によって支持及び／又は封入される様々な構造物とを含む。そのような構造物は、オーディオデバイス１２のコネクタ２８への接続のために構成されたコネクタ３２を含む。一実施形態において、電子デバイス１６もまた、ケーシング３１によって支持及び／又は封入されてよい。図面には示されないが、ケーシング３１は、電子デバイス１６、電子デバイス１６をコネクタ３２に接続する配線及び回路、電源、並びに／又はケーシング３１に包含される任意の他のコンポーネントのようなコンポーネントを含む一以上の内部キャビティを有してもよい。コネクタモジュール３０のコネクタ３２は一般に、オーディオデバイス１２のコネクタ２８に接続されるように構成される。例えば、図１〜１１の実施形態において、コネクタ３２は、３ピンＸＬＲ形式のメス型コネクタであり、３つの孔３３がマイクロフォンコネクタ２８のピン２９を受領するように構成される。図１〜１１のコネクタモジュール３０は、一端３４（接続端と称してよい）にコネクタ３２が配置される。ケーシング３１は、コネクタ３２に対向する第２端３５（遠位端と称してよい）を有する。コネクタモジュール３０のケーシング３１は、一つの部品又は多数の部品から形成することができる。一実施形態において、ケーシング３１が単一の部品又は多数の部品のいずれから形成されるとしても、ケーシング３１は、可動部を含まない一体構造物から形成される。
【００３７】
コネクタモジュール３０のケーシング３１の側壁は、少なくとも一つのロック構造３６を有する。この構造は、ここの他の箇所に説明されるように、アクチュエータ６０と回転ロックするように構成される。一実施形態において、各ロック構造３６は、コネクタモジュール３０の軸又は軸方向Ａ（図６参照）に対して傾斜する一以上の傾斜面、例えばケーシングの外周の一部分のまわりに延びる単一のスロープ面又はねじ付き部分、を含み得る。かかる傾斜ロック構造は、回転係合を介して係合して回転中に一定の軸方向の（すなわち軸Ａに沿った）前進をもたらす。例えば、図１〜１１の実施形態において、コネクタモジュール３０は、ケーシング３１の対向側に２つのロック構造３６を有し、２つのロック構造３６はそれぞれが、ケーシングの外周の一部分のまわりに延びるねじ部３６の形式にある。他実施形態において、コネクタモジュール３０は、回転又は他の技法による係合のために構成され得る一以上の他のタイプのロック構造３６を使用してよい。コネクタモジュール３０はまた、ロック構造３６から分離された一以上の通路３７を含んでもよい。一以上の通路３７は、各ロック構造３６に隣接して配置され得る。通路３７は、ロック構造３６（例えばアクチュエータ６０のロック構造ＸＸ）に係合可能な任意の構造が、通路３７内に位置するときにロック構造３６に係合しないような構造となり得る。図１〜１１の実施形態において、ねじ部３６はそれぞれが、当該ねじの入口に隣接して位置する通路３７を有する。通路３７は、ケーシング３１の側壁（側壁部とも称する）の凹んだ及び／又は平坦な部分によって画定され、隣接するねじ部３６に対して凹んでいる。図１〜１１の通路３７を画定する凹んだ側壁部は、ねじ部３６同士の間の実質的に全距離にわたって延びる。図１〜１１のケーシング３１はまた、ねじ部３６の対向側に側壁部３８を含む。これらの側壁部３８は、コネクタ３２と比較して拡大された幅を有し、通路３７もまた、側壁部３８に対して凹んでおり、少なくとも部分的に両側壁部３８を通って延びる。一実施形態において、ケーシング３１はさらに、ここに記載されるアクチュエータ６０に係合するように構成された一以上の突起６０を含み得る。図１〜１のケーシング３１は、第２端３５に近接する単一の突起３９を含む。
【００３８】
一実施形態におけるコネクタモジュール３０は、オーディオデバイス１２にコネクタモジュール３０をロックするべく構成されたラッチ４０を含む。このロックは、例えば、コネクタモジュール３０の、オーディオデバイス１２の係合面２３との係合による。図１〜１１の実施形態において、コネクタモジュール３０は可動ラッチ４０を有する。マイクロフォン１２は、マイクロフォン本体２０のスロット２５内に係合面２３を含む。マイクロフォン１２は、少なくとも凹部２７を画定する内面と連通するスロット２５を有し、係合面２３は、ラッチ４０による凹部２７内からのアクセスを受ける。図１〜１１の実施形態において、スロット２５は、凹部２７及びマイクロフォン１２の外部に露出されるようにマイクロフォン本体２０を貫通する。ラッチ４０は、係合面２３をマイクロフォン１２に係合してコネクタモジュール３０をマイクロフォン１２に接続したまま保持するラッチ部４１と、ラッチ４０をマイクロフォン１２から係合解除するように係合するべく構成された作動部４２とを含む。ラッチ４０は、ラッチ部４１をマイクロフォン１２に係合させるべく、及びマイクロフォン１２から係合解除するべく可動である。例えば、ラッチ位置とリリース位置との間で可動である。ラッチ位置では、ラッチ部４１がマイクロフォン１２の係合面２３に係合して接続アセンブリ１４をマイクロフォン１２に接続したまま保持し、リリース位置では、ラッチ部４１が係合面２３から係合解除され、接続アセンブリ１４のマイクロフォン１２からの取り外しが許容される。作動部４２は、ここに説明されるように、図１〜１１の実施形態においてアクチュエータ６０が係合するように構成されるが、他実施形態においては、例えば、ユーザの指又は接続アセンブリ１４の他の構造によって、異なるように係合してよい。図１０〜１１に示されるように、ラッチ４０は、枢動によりラッチ位置（図１０）とリリース位置（図１１）との間を可動に構成される。ラッチ４０は、ラッチ４０全体を枢動させる支点を形成する枢動アーム４３を有する。他実施形態において、ラッチ４０は、摺動、押下等のような直線又は曲線運動、又は直線運動と一以上の軸まわりの枢動／回転との組み合わせを含む、異なる態様で動かされてよい。一実施形態におけるコネクタモジュール３０はさらに、ラッチ４０をラッチ位置に向かうように付勢するラッチ付勢部材４０を含み得る。図１〜１１のコネクタモジュール３０は、ラッチ４４がラッチ位置まで動くときに圧縮されるＶ字形ばねの形式の付勢部材４０を有するが、他実施形態において、他のばね又は他の付勢機構を使用してよい。
【００３９】
図１〜１１の実施形態におけるラッチ部４１は、タブ又は同様の構造の形式であり、マイクロフォンの係合面２３に係合するラッチ面４５と、ラッチ面４５に隣接するスロープ面又は傾斜面４６とを有し、スロープ面又は傾斜面４６は、マイクロフォン１２の凹部の周囲に挿入中に係合してラッチ４０を枢動させるので、ラッチ４０を直接操作することのない挿入が許容される。作動部４２は、図１〜１１に示されるように、一実施形態においてラッチ部４１から離間かつ分離される。換言すれば、ラッチをラッチ位置とリリース位置との間で動かすべく係合する作動部４２の構造は、ラッチ４０全体が一体の又はモノリシックな本体であっても、ラッチ機能を達成するべくマイクロフォンが係合するラッチ部４１の構造とは異なる。図１〜１１の作動部４２は、作動面４７を備えたラッチ４０の拡大された部分の形式であり、作動面４７は、スリープ状又は傾斜状であり、ラッチ４０の動きを作動させるべく係合するように構成されている。図１〜１１に示される作動部４２は、ラッチ４０の作動のために必要な力を最小にするべく、枢動アーム４３から遠位に存在する。ラッチ部４１及び作動部４２を含むラッチ４０のいずれか又はすべてのコンポーネントは、他実施形態において異なるように構成されてよい。ラッチ部４１が、ラッチ対象のオーディオデバイスの構造にマッチし又は相補的となる構成にされてよいことが理解される。
【００４０】
ハウジング５０は、コネクタモジュール３０及び／又はアクチュエータ６０の複数部分を受容するキャビティ５２を画定するハウジング本体５１を有する。図１〜１１の実施形態におけるハウジング本体５１は、一般に円筒状であり、一端にキャビティ５２と連通する開口５３を有し、他端にエンドキャップ５４を有する。ハウジング本体５１は、図１〜１１の実施形態においてキャビティ５２まわりに連続的に延びるが、他実施形態においては、壁に間隙又は空間を有してもよい。図１〜１１の実施形態におけるエンドキャップ５４は、ここに詳細に説明されるように、キャビティ５２の端を完全に閉じて当接面を形成する。エンドキャップ５４は、一実施形態において、組み立てを容易にするべく永久的又はリリース可能な接続構造を使用して組み立て中にハウジング本体５１に接続される別個の部品としてよいが、他実施形態においては、エンドキャップ本体５１と一体化されてよい。エンドキャップ５４は、キャビティ５２の端に一以上の開口を残してもよく、他実施形態においては存在しなくてもよい。例えば、エンドキャップ５４は、一実施形態において、一以上のワイヤ又はケーブルが貫通するのを許容するべく構成されてよい。ハウジング５０は、一実施形態において、コネクタモジュール３０の少なくとも第２端３５をキャビティ５２内に受容する。図１〜１１の実施形態におけるハウジング５０は、コネクタモジュール３０の第２端３５と、ケーシング３１の長さの一部分（約５０％）とを受容することにより、当該コネクタモジュールの第２端３５が、接続アセンブリ１４の通常静止位置において、エンドキャップ５４に当接又は密近接するようになる。加えて、ハウジング５０の幅（すなわち図１〜１１の実施形態における直径）が、コネクタモジュール３０のケーシング３１の外周とハウジング本体５１の壁との間に空間５５を与えるのに十分となる。ハウジング５０はまた、アクチュエータ６０の一部分をキャビティ５２内に保持する保持構造、又は一実施形態ではハウジング５０に係合する保持構造、を有し得る。一実施形態において、ハウジング５０はリム５６を有する。リム５６は、ハウジング５０の内部の少なくとも一部分のまわりに内向きに延びて、アクチュエータ６０の一部分をキャビティ５０内に保持する。図１〜１１の実施形態におけるハウジング５０は、開口５３の周囲の少なくとも一部分のまわりに内向きに延びるリム５６を有する。この実施形態におけるリム５６は、開口５３の全周に延び、他実施形態において、リム５６は、開口５３の周囲の一部分のみに延びる。例えば、リム５６は、開口５３まわりに断続的に配置された一定数の内向きに延びる突起によって形成される。他実施形態において、ハウジング５０のための異なる保持構造を使用することができる。理解されることだが、アクチュエータ６０が、ハウジング５０の保持構造による係合のための相補的構造を有してよい。
【００４１】
一実施形態におけるアクチュエータ６０は、中央通路６２を画定するカラー本体６１を有するカラーの形式であり、コネクタモジュール３０がこの中央通路６２を貫通するように配置される。加えて、アクチュエータ６０は、当該アクチュエータ６０の一部分（一実施形態においてカラー本体６１の少なくとも底部６６を含む）がハウジング５０内に受容される位置にされる。アクチュエータ６０は、ハウジング５０の保持構造に係合する保持構造を有し、アクチュエータ６０の一部分がハウジング５０内に保持される。加えて、アクチュエータ６０の一部分（一実施形態においてカラー本体６１の少なくとも頂部６５を含む）は、ハウジング５０の開口５３から外へ延びる。一実施形態において、アクチュエータ６０は、図１１の実施形態のように、アクチュエータ６０の外面の少なくとも一部分のまわりに外向きに延びるフランジ６３を有する。フランジ６３は、カラー本体６１の底部６６においてアクチュエータ６０の全周囲に延びる。他実施形態において、フランジ６３は、異なる位置にあってよく、及び／又はアクチュエータ６０の全周囲に配置されてよい。例えば、フランジ６３は、本体６１のまわりに断続的に配置される一定数の外向きに延びる突起によって形成される。他実施形態において、アクチュエータ６０は、コネクタモジュール３０まわりに完全に延びるカラー本体６２を備えたカラーとして構成されなくてよく、所望の機能性を達成する他構成が使用されてよい。
【００４２】
一実施形態におけるアクチュエータ６０は、ラッチ４０の作動部４２に係合する動きのために構成され、また、アクチュエータ６０をコネクタモジュール３０及び／又はハウジング５０に対して適所にロックする動きのために構成される。図１〜１１の実施形態において、アクチュエータ６０は、ラッチを作動させるべく軸方向に（軸方向Ａに）可動であり、また、コネクタモジュール３０に係合してアクチュエータ６０を、コネクタモジュール３０に対して軸方向の位置にロックするべく、回転により可動でもある。アクチュエータ６０、コネクタモジュール３０及びハウジング５０は、この動き及び機能性をもたらす構造を含む。
【００４３】
一実施形態において、アクチュエータ６０は係合面６４を有する。係合面６４は、ラッチ４０の作動部４２に係合してラッチ４０をラッチ位置からリリース位置まで動かすように構成される。アクチュエータ６０は、この係合をもたらすべく第１位置と第２位置との間で可動である。この実施形態において、図１０に示される第１位置にあるアクチュエータ６０は、ラッチ４０を作動させず、ラッチ４０はラッチ位置にある。加えて、この実施形態において、アクチュエータ６０が図１１に示される第２位置まで動くと、アクチュエータ６０の係合面６４は、ラッチ４０の作動部４２の作動面４７に係合してラッチ４０をリリース位置まで動かす。アクチュエータ６０の第１位置と第２位置との間の動きは直線的であってよく、かかる動きは図１〜１１の実施形態においてのように軸方向であってもよい。図１〜１１の実施形態におけるアクチュエータ６０は、図１１に示されるように、第２位置まで動くとき、ハウジング５０の中へ、かつ、コネクタモジュール３０のコネクタ３２及び接続端３４から離れるように、さらに軸方向に動く。この実施形態において、アクチュエータ６０の少なくとも頂部６５は、依然として、第２位置においてハウジング５０の開口５３から外へと延びている。係合面６４は、ラッチ４０の作動部４２に係合する位置及び構成とされ、図１〜１１の実施形態においてのように、アクチュエータ６０の内面６７に画定されてよい。図１〜１１におけるアクチュエータ６０は、カラー本体６１の頂部６５において中心通路６２まわりに内向きに延びる係合面６４を有する。軸方向の動きを介してラッチ４０の作動面４７に係合するべく、中心通路６２の直径が減少したネック部６８がもたらされる。この実施形態における係合面６４は、内向きにスロープ状又は傾斜状であり、さらに環状であり、円錐台構造をもたらす。ラッチ４０の作動面４７も、同様にスロープ状又は傾斜状であり、緩やかな係合がもたらされる。図１〜１１の実施形態において、カラー本体６１の外面６９もまた、ネック部６８において内向きに傾斜する。他実施形態において、係合面６４及び／又はネック部６８は、異なる構造を有してよい。例えば、一実施形態における係合面６４が内向きに延びてよい一方、カラー本体６１の外面６９は円筒状のままでよい。他例として、一実施形態における係合面６４及びネック部６８は、軸方向Ａに直交して内向きに延びてよい。さらなる例として、係合面６４は、カラー本体６１の内面６７の一部分によって形成されなくてよく、その代わりに、タブ又は突起のような別個の構造としてよく、又は、様々な実施形態において、アクチュエータ６０上の他の場所に配置されてよい。
【００４４】
図１〜１１の実施形態における接続アセンブリ１４はさらに、アクチュエータ６０を第１位置に向けて付勢するべく構成されたアクチュエータ付勢部材５９を含む。この実施形態におけるアクチュエータ付勢部材５９は、ハウジング５０のキャビティ５２に位置してコネクタモジュール３０のケーシング３１の一部分のまわりに巻かれたコイルばねである。エンドキャップ５４が、コイルばねに対する一方の当接面を形成し、アクチュエータ６０のフランジ６３の下側が第２の当接面を形成する。図１１に示されるように、アクチュエータ６０が第２位置まで動くことにより付勢部材５９が圧縮されるので、付勢部材５９は、アクチュエータ６０が第１位置まで戻る動きの間に伸長する。ハウジング５０のリム５６がアクチュエータ６０のフランジ６３に係合することにより、アクチュエータ６０が第１位置にあるときにコネクタ３２へと向かうアクチュエータ６０のさらなる軸方向の動きが制限される。ラッチ４０の作動部４２及び側壁部３８が大きすぎてアクチュエータ６０のネック部を通るように嵌らないので、コネクタモジュール３０は、ラッチ４０がリリース位置まで動いても、アクチュエータ６０及びハウジング５０から抜け出すことができない。
【００４５】
一実施形態において、アクチュエータ６０及びコネクタモジュール３０はロック構造を有する。これらのロック構造は、アクチュエータ６０のロック構造７０がコネクタモジュール３０のロック構造３６に係合するように構成される。これにより、アクチュエータ６０の第２位置への動きと、ラッチ４０の不注意なリリースとが抵抗を受ける。この実施形態において、アクチュエータ６０は、ロック位置及び自由位置に配置可能となり得る。ロック位置では、アクチュエータ６０のロック構造７０、３６とコネクタモジュール３０とが互いに係合してアクチュエータ６０の第２位置への動きに抵抗する。自由位置では、ロック構造７０、３６が互いに係合しないでアクチュエータ６０が第２位置まで動くことができる。ロック構造７０、３６は、ラッチ４０をリリースするべく第２位置まで動くときにアクチュエータ６０の動きとは異なる動きを使用して係合することができる。例えば、アクチュエータ６０が、図１〜１１においてのように、第１位置と第２位置との間で軸方向に動く場合、ロック構造７０、３６を、アクチュエータ６０とコネクタモジュール３０との相対的な回転運動によって作動されるように構成してよい。一実施形態において、これらのロック構造７０、３６は、アクチュエータ６０及びコネクタモジュール３０における回転を介して互いに係合し合う単一のスロープ面又はねじ部のような一以上のスロープ面の形式である。一実施形態において、ロック構造７０、３６のスロープ面は周方向に存在し、コネクタモジュール３０の軸又は軸方向Ａに対して傾斜し得る。図１〜１１の実施形態において、アクチュエータ６０及びコネクタモジュール３０はそれぞれが、互いに係合する一以上のねじ部７０、３６を有する。図３〜１１に示されるように、アクチュエータ６０は、カラー本体６１の内面６７に位置する２つのねじ部７０を有する。このねじ部７０はそれぞれが、カラー本体６１の内面６７の一部分のまわりに延び、かつ、中央通路６２の周囲の一部分のまわりに延びる。アクチュエータ７０のねじ部７０は、カラー本体６１の対向側に、かつ、通路６２の対向側に位置する。ここに説明されるように、図１〜１１の実施形態におけるコネクタモジュール３０は、２つのねじ部３６の形式のロック構造を有する。２つのねじ部３６はそれぞれが、ケーシング３１の外周の一部分のまわりに延びる。
【００４６】
コネクタモジュール３０のケーシング３１は、ねじ部３６を案内してアクチュエータ６０のねじ部７０との嵌合を容易にするガイド機能部を有し、当該コンポーネント同士を完全に整列させる必要がない。例えば、ねじ部３６は、２つの側壁部３８の間のチャネル７１に位置する。各チャネル７１は、図４に示されるように、側壁部７２の勾配部７３により形成されたフレア状入口３８を有する。他例として、ねじ部３６の入口端は（ここで、ねじ部７０との係合は、アクチュエータ６０の相対的な回転によって始まる）、狭くなった又は尖った端７４まで先細りになる。わずかな不整列に起因して勾配部７３と尖った端７４とがねじ部７０によって係合されると、これらの面の傾斜角度により、ねじ部７０、３６間の適切な係合及び整列が徐々に案内される。アクチュエータ６０のねじ部７０もまた、先細り端７４又は他のガイド特徴部を備えてよい。図１〜１１の実施形態において、ねじ部７０、３６は、単一方向の回転により係合するべく構成される。かかる実施形態において、各ねじ部３６の単一端のみが、これらのガイド特徴部を有してもよい。他実施形態において、各ねじ部３６の両端が、特にねじ部７０、３６がいずれかの方向への回転によって係合され得る場合、これらのガイド特徴部を有してよい。
【００４７】
アクチュエータ６０の自由位置は、図６〜８及び図１０〜１１に示される。ここでは、アクチュエータ６０のねじ部７０は、コネクタモジュール３０のねじ部３６に係合しない。この構成において、アクチュエータ６０は、図１１に示されるように、第２位置まで軸方向に動くことができる。加えて、この構成において、アクチュエータ６０のねじ部７０は、コネクタモジュール３０の通路３７に位置し（図７参照）、アクチュエータ６０が第１位置と第２位置との間を動くときに通路３７内を軸方向に動く。理解されることだが、この実施形態における通路３７は、アクチュエータ６０の第１位置と第２位置との間の動き方向に沿って位置し、他実施形態においてアクチュエータ６０が第１位置と第２位置との間を異なるように動くべく構成される場合、通路３７は、かかる動き方向に沿うように構成され得る。異なるロック構造を利用する他実施形態において、通路３７と、アクチュエータ７０のロック構造６０とは、アクチュエータ６０のこの動きの間にロック構造７０の通過を許容するように構成されてよい。
【００４８】
アクチュエータ６０のロック位置が図９に示される。アクチュエータ６０は、コネクタ３２から軸方向に見たときの当該アクチュエータ６０の時計回り方向の回転により、自由位置からロック位置まで動かされる。図９に示されるように、ロック位置において、アクチュエータ６０のねじ部７０、３６とコネクタモジュール３０とが螺合する。この螺合は、アクチュエータ６０の軸方向の動きに抵抗する。図１０に示されるように、アクチュエータ６０は、当該アクチュエータ６０の反時計回りの回転により自由位置に戻ることができる。この自由位置に戻る回転により、ねじ部７０は、図７に示されるように通路３７の中の位置まで戻る。加えて、図１〜１１の実施形態において、アクチュエータ６０がロック位置まで動くとき、すなわち、アクチュエータ６０が軸方向Ａに沿ってコネクタ３２及び／又はオーディオデバイス１２に向かって動くとき、ねじ部７０、３６の傾斜によってアクチュエータ６０の軸方向の前進がもたらされる。この軸方向の動きにより、アクチュエータ６０（例えばカラー本体６１の頂部６５）が、オーディオデバイス１２の端２４に密接係合するまで押し込まれ、さらには接続アセンブリ１４とオーディオデバイス１２との接続が確実かつ安定になる。この軸方向の前進はまた、接続の緩みをもたらし得る製造公差を補償することができる。例えば、マイクロフォン本体２０の第２端２４に対するスロット２５の位置に著しいばらつきが存在し得るが、この軸方向の前進によってこのばらつきの補償が許容される。このばらつきゆえに、ロック位置にあるコネクタモジュール３０に対するアクチュエータ６０の正確な回転位置が、接続アセンブリ１２が接続される特定のオーディオデバイス１２により許容される軸方向の前進の程度に応じて変わり得る。すなわち、アクチュエータ６０が、それぞれが「ロック位置」とみなされる多くの回転位置を有し、アクチュエータ６０の軸方向の動きに抵抗するべくアクチュエータ６０の特定の一回転位置というよりもむしろ当該単数又は複数のロック位置が、ロック構造７０、３６間の係合によって画定されることが理解される。ロック位置から自由位置へのアクチュエータ６０の回転も同様に、アクチュエータの軸方向の後退、すなわちアクチュエータ６０の軸方向Ａに沿ったコネクタ３２及び／又はオーディオデバイス１２から離れる動き、をもたらす。この軸方向の動きは、傾斜面を備えたロック構造７０、３６を使用する他実施形態によって達成することができる。他実施形態において、ねじ部７０は、各ねじ部７０がコネクタモジュール３０のねじ部３６のいずれかに係合することができるように、いずれかの方向への回転によるロックを許容するように構成され得る。なお、ここに記載されるアクチュエータ６０の「回転」は、コネクタモジュール３０に対するアクチュエータ６０の回転を言及し、かかる相対的な回転は、アクチュエータ６０又はコネクタモジュール３０単独の回転により、又は双方のコンポーネントの同時回転により、達成することができる。
【００４９】
図１〜１１におけるアクチュエータ６０はさらに、カラー本体６１の底部６６から軸方向に延びる円筒形状の壁８０を含む。この壁８０は、ハウジング５０内のアクチュエータ６０の後退を制限するための、及び／又はアクチュエータ６０の回転を制限するための、停止部を形成する。壁８０は、第１壁部８１及び第２壁部８２を有する。これらの壁部はそれぞれが、互いに連続する半円筒状であり、軸方向の長さが異なることにより第２壁部８２が第２壁部８１よりも長くなる。壁８０はまた、一以上のスロット８３が画定されることにより、コネクタモジュール３０の一以上の突起３９を受容するべく構成される。図１〜１１における壁８０は、壁部８１、８２の間に配置された単一のスロット８３を含む。スロット８３と突起３９とは、アクチュエータ６０が自由位置にあるときに整列する位置にある。この構成において、アクチュエータ６０の第２位置への動きにより、突起３９のスロット８３への受容が引き起こされる。この整列が存在しない場合、壁８０（例えば第１壁部８１）が、アクチュエータ６０の軸方向の動きに抵抗するべく突起３９の上端に当接する。突起３９がスロット８３に受容されると、アクチュエータ６０のいずれかの方向への回転が、スロット８３のエッジによる抵抗を受ける。図１〜１１の実施形態において、アクチュエータ３９が第１回転方向に（自由位置からロック位置まで）回転すると第１壁部８１が突起６０に当接し、アクチュエータ６０が第１回転方向に対向する第２回転方向に回転すると第２壁８２が突起３９に当接する。加えて、壁８０は、第２スリーブ部８２がハウジング５０のエンドキャップ５４に当接することによって、及び／又は突起３９の端がスロット３９の上端に当接することによって、ハウジング５０の中へのアクチュエータ６０の後退を制限することができる。さらに、第２スリーブ部８２の長さが、突起３９の頂部よりも下に延びるのに十分である一方、第１スリーブ部８１は、突起３９の頂部よりも下には延びない。この構成において、突起３９はまた回転停止部を形成し、第１スリーブ部８１が、アクチュエータ６０の回転中に当該突起の頂部を通過して、アクチュエータ６０を自由位置からロック位置まで第１回転方向に（例えば時計回り方向に）動かし、第２スリーブ部８２が、突起３９の側面に当接して、自由位置からの第２回転方向（例えば反時計回りの方向）の回転に抵抗する。アクチュエータ６０の軸方向の前進に起因するオーディオデバイス１２との係合が、ロック位置を超える過剰回転に十分に抵抗しない場合に備え、第２スリーブ部８２のスロット８３に対向する端もまた、アクチュエータ６０がロック位置に到達した後の、突起３９の側面に当接してアクチュエータ６０の第１回転方向の過剰回転に抵抗することによる回転停止部を形成する。
【００５０】
オーディオデバイス１２の接続アセンブリ１４への接続は、図１〜１１の実施形態のマイクロフォン１２に関して図示される。理解されることだが、接続アセンブリ１４は、他のオーディオデバイスとも同じ又は同様の態様で接続され得る。図８に示されるように、接続アセンブリ１４がマイクロフォン１２に接続されると、マイクロフォン１２及びコネクタモジュール３０のコネクタ２８、３２は、当該コネクタ２８、３２を介した電子伝送（例えば信号、電源等）を許容する態様で接続される。これには、マイクロフォンコネクタ２８のピン２９がコネクタモジュール３０の孔３３に受容されること、コネクタモジュール３０の接続端３４がマイクロフォン１２の凹部２７に受容されること、のようなコンポーネントの嵌合が含まれ得る。図１〜１１の実施形態において、ラッチ４０は、コネクタ２８、３２が互いに接続されるように押し込まれるときにマイクロフォン１２に係合する。図８は、ラッチ部４１のラッチ面４５がマイクロフォン１２の係合面２３に係合することを示す。ラッチ部４１は、マイクロフォン本体２０のスロット２５に少なくとも部分的に受容される。この実施形態においてマイクロフォン本体２０の端２４が、ラッチ部４１のスロープ面４６に係合し、ラッチ４０をリリース位置に向かうように押し込む。ラッチ４０は、ラッチ部４１がスロット２５の中に挿入されるラッチ位置まで（例えば付勢部材４４によって及ぼされる力を介して）戻る。加えて、図１〜１１の実施形態において、マイクロフォン１２の端２４は、カラー本体６１の頂部６５に係合し、アクチュエータ６０を軸方向Ａにコネクタ３２からわずかに離れるように（すなわちハウジング５０の中へ）押し込む。これは、図６と図８との比較からわかる。図６ではアクチュエータ６０のフランジ６３がハウジング５０のリム５６に係合し、図８ではマイクロフォン１２との係合によりフランジ６３がリム５６からわずかに離れるように押し込まれている。図６及び８におけるアクチュエータ６０の双方の位置は、機能的に言えば、ここに記載される「第１位置」とみなし得ることが理解される。これらの位置を区別する必要がある場合、これらの位置は、前進第１位置（図６）及び後退第１位置（図８）と称される。この態様でマイクロフォン１２がひとたび接続アセンブリ１４に接続されると、アクチュエータ６０は、図９に示されてここに記載されるロック位置まで回転され得る。これはまた、ここに記載されるアクチュエータ６０の軸方向前進をもたらし得る。アクチュエータ６０が自由位置まで戻り（図１０）、次いで第２位置まで動くと（図１１）、マイクロフォン１２は、接続アセンブリ１４から引き離され得る。
【００５１】
本開示の文脈において、電子デバイス１６は、図１２に示されるようなシステム１００内のコンピューティングシステム１００又はコンピューティングデバイス１０１として具体化され、汎用コンピューティングシステム若しくはデバイス、又は特定の目的のための専用コンピューティングシステム若しくはデバイスのいずれかとして具体化される。したがって、電子デバイス１６は、オーディオデバイス１２から受信したオーディオ信号に関する処理、修正、送信、記憶、変換、又はそれ以外のアクションを取るべく、及び他の機能を実行するべく、利用されるハードウェア、ファームウェア及びソフトウェアを含み得る。さらに、当業者にはわかることだが、コンピューティングシステム１００及びコンピューティングデバイス１０１は、オーディオ入力デバイス、オーディオ出力デバイス、オーディオ処理デバイス等のような、オーディオ信号に関する送信、受信、及びアクションを取るべく利用される多数のデバイス及びシステムの間の複雑な相互作用に対処するべく集中計算及び／又は大量計算のために構成された処理ハードウェアを含み得る。そのようにして、コンピューティングシステム１００は、デバイス１０１、１４１及び／又は１５１のような一以上の接続されたコンピュータデバイスを含み得る。さらに、一例において、コンピューティングシステム１００は、デバイス１０１、１４１及び／又は１５１のような一以上のコンピュータデバイスとして実装され得る一以上のサブシステムを含み得る。
【００５２】
一実装例において、コンピューティングデバイス１０１は、デバイス１０１及びその関連コンポーネント（ＲＡＭ１０５、ＲＯＭ１０７、入出力（Ｉ／Ｏ）モジュール１０９及びメモリ１１５を含む）の動作全体を制御するプロセッサ１０３を有してよい。一例において、当業者にとって明らかなことだが、メモリ１１５は永続性及び／又は揮発性メモリの任意の既知の形式を含み得る。例えば、とりわけ、ハードディスクドライブ、ソリッドステートディスク、光ディスク技術（ＣＤ−ＲＯＭ、ＤＶＤ、ブルーレイ（登録商標）等）、テープベースの記憶デバイス、ＲＯＭ及びＲＡＭ、又はこれらの組み合わせである。このようにして、メモリ１１５は、プロセッサ１０３が実行するべき命令を通信することができる非一時的コンピュータ可読媒体を含み得る。
【００５３】
Ｉ／Ｏモジュール１０９は、マイクロフォン若しくは他のオーディオ入力デバイス、キーパッド、タッチスクリーン、ボタン、及び／又はスタイラスを含んでもよく、これらを介してコンピューティングデバイス１０１のユーザが入力を与えてよく、また、オーディオ出力を与えるスピーカ、並びに／又はテキスト、オーディオビジュアル及び／若しくはグラフィック出力を与えるビデオ表示デバイスのうちの一以上を含んでもよい。ソフトウェアは、コンピューティングデバイス１０１が様々な機能を実行できるようにする命令をプロセッサ１０３に与えるべく、メモリ１１５及び／又は記憶装置内に記憶され得る。例えば、メモリ１１５は、コンピューティングデバイス１０１が使用するオペレーティングシステム１１７、アプリケーションプログラム１１９、及び関連するデータベース１２１のようなソフトウェアを記憶してよい。プロセッサ１０３及びその関連コンポーネントは、コンピューティングデバイス１０１がデータを処理及びフォーマットするための一連のコンピュータ可読命令を実行することを許容してよい。
【００５４】
コンピューティングデバイス１０１はさらに、図１２に示されるように、送信器及び／又は受信器（ＴＸ／ＲＸ）１１０及び電源１１２を含み得る。ＴＸ／ＲＸ１１０は、一以上の無線通信チャネル（ＷｉＦｉ（登録商標）、Ｂｌｕｅｔｏｏｔｈ（登録商標）、近距離無線通信（ＮＦＣ）、ＡＮＴテクノロジー、及び／又はその他の無線通信技法を含むが、これらに限定されない）を介した無線送信及び／又は受信のために構成され得る。一実施形態において、外部デバイスとの通信はすべて、ＴＸ／ＲＸ１１０を介して行うことができる。ＴＸ／ＲＸ１１０はさらに、図１２に示されるように、アンテナを含み得る。電源１１２は、コンピューティングデバイス１０１の他のコンポーネントのうちのいずれか又はすべてに電力供給するべく接続され、一実施形態において再充電可能又は取り外し可能／交換可能としてよい。
【００５５】
コンピューティングデバイス１０１は、一以上のリモートコンピュータ、例えばコンピューティングデバイス１４１及び１５１、との接続をサポートするネットワーク環境において動作し得る。一例において、コンピューティングデバイス１４１及び１５１は、コンピューティングデバイス１０１に関して上述した要素の多く又はすべてを含むパーソナルコンピュータ又はサーバとしてよい。代替的に、コンピューティングデバイス１４１及び／又は１５１は、コンピューティングデバイス１０１の動作によって影響を受けるデータストアとしてよい。図１２に描かれるネットワーク接続は、ローカルエリアネットワーク（ＬＡＮ）１２５及びワイドエリアネットワーク（ＷＡＮ）１２９を含むが、他のネットワークを含んでもよい。ＬＡＮネットワーキング環境において使用される場合、コンピューティングデバイス１０１は、ネットワークインタフェイス又はアダプタ１２３を介してＬＡＮ１２５に接続される。ＷＡＮネットワーキング環境において使用される場合、コンピューティングデバイス１０１は、インターネット１２９のようなＷＡＮ１３１を経由して通信を確立するモデム１２７又は他の手段を含み得る。わかることだが、図示のネットワーク接続は例示であって、コンピュータ間の通信リンクを確立する他の手段も使用してよい。ＴＣＰ／ＩＰ、イーサネット（登録商標）、ＦＴＰ、ＨＴＴＰ等のような様々な周知のプロトコルのいずれかの存在が推定される。したがって、コンピューティングデバイス１０１、１４１及び／又は１５１の一以上の間の通信が有線又は無線であってよく、とりわけ、Ｗｉ−Ｆｉ、セルラーネットワーク、Ｂｌｕｅｔｏｏｔｈ、赤外線通信、又はイーサネットケーブルを利用してよい。
【００５６】
それゆえ、本開示の例示的な実施形態に係るコンピューティングデバイス１０１が使用するアプリケーションプログラム１１９は、エンジニアリング製品に関連付けられた設計、製造及びサービスのプロセスの管理に関連する機能を呼び出すための、特に、変更管理システムの一以上のサブシステム間のエンジニアリング製品のサブコンポーネントの設計及び／又は製造に関連付けられた一以上のルールの通信のための、コンピュータ実行可能命令を含み得る。
【００５７】
コンピューティングデバイス１０１及び／又は他のデバイス１４１若しくは１５１はまた、スマートフォン、パーソナルデジタルアシスタント（ＰＤＡ）、スマートウォッチ等のようなモバイルデバイスであってよく、これらのモバイルデバイスは、バッテリ、スピーカ及びアンテナ（図示せず）のような様々な他のコンポーネントを含み得る。
【００５８】
本開示は、他の多数の汎用又は専用コンピューティングシステム環境又は構成とともに動作可能である。本開示との使用に適切な周知のコンピューティングシステム、環境及び／又は構成の例は、パーソナルコンピュータ、サーバコンピュータ、ハンドヘルドデバイス又はラップトップデバイス、マルチプロセッサシステム、マイクロプロセッサベースのシステム、セットトップボックス、プログラム可能な民生用電子機器、ネットワークＰＣ、ミニコンピュータ、メインフレームコンピュータ、及び上記システム又はデバイスのいずれかを含む分散コンピューティング環境等を含むが、これらに限られない。
【００５９】
本開示は、コンピュータが実行するプログラムモジュールのようなコンピュータ実行可能命令の一般的な文脈において説明することができる。一般に、プログラムモジュールは、特定のタスクを実行し又は特定の抽象データ型を実装するルーチン、プログラム、オブジェクト、コンポーネント、データ構造等を含む。本開示はまた、例えば通信ネットワークを介してリンクされたリモート処理デバイスによってタスクが実行される分散コンピューティング環境においても実施することができる。分散コンピューティング環境において、プログラムモジュールは、メモリ記憶デバイスを含むローカル及びリモート双方のコンピュータ記憶媒体に配置してよい。一実施形態において、コンピュータデバイス１０１は、オーディオ信号に関する送信、受信、処理、修正、記憶、変換、又は他のアクション実行のためのコンピュータ実行可能命令を含み得る。
【００６０】
一実施形態において、電子デバイス１６は、オーディオデバイス１２からのオーディオ信号の無線送信のために構成された無線送信モジュールである。この実施形態において、電子デバイス１６は少なくとも、アンテナを備えた無線送信器１１０、及び電源１１２を含み、ここに記載の付加的コンポーネントも含んでよい。電子デバイス１６が無線送信及び／又は受信のために構成される実施形態において、接続アセンブリ１４は、アンテナが完全に遮蔽されることがないことを保証するべく、無線信号と干渉しないプラスチック又は他の材料から形成された少なくともいくつかのコンポーネントを含み得る。例えば、一実施形態において、コネクタモジュール３０のケーシング３１、及びハウジング５０は少なくとも部分的にプラスチックから作られてよく、他実施形態において、これらのコンポーネントはそれぞれが完全に、成形プラスチックから作られてよい。一実施形態において、アクチュエータ６０も同様に、少なくとも部分的にプラスチックから作られてよく、又は完全に成形プラスチックから作られてよい。
【００６１】
接続アセンブリ１４、並びに接続アセンブリ１４及びオーディオデバイス１２を含むアセンブリ１０は、既存のアセンブリに対する利益及び利点を与える。例えば、接続アセンブリ１４によって、オーディオデバイス１２への迅速かつ容易な接続、及びオーディオデバイス１２からの迅速かつ容易な接続解除が可能となる。他例として、接続アセンブリ１４は、不注意による接続解除のリスクを最小限にしつつ、迅速かつ容易な接続解除という利点を与える。さらなる例として、接続アセンブリ１４は、接続アセンブリ１４とオーディオデバイス１２との接続を確実かつ安定にする能力を与える。さらなる他例として、接続アセンブリ１４の構造は、一貫した高信頼性動作を可能にする。一実施形態において、接続アセンブリ１４は、高信頼性の便利な無線マイクロフォンアセンブリ１０をもたらすべく、有線接続のために構成されたマイクロフォン１２に接続され得る無線送信モジュールとして与えることができる。
【００６２】
いくつかの代替の実施形態及び例が、ここに記載及び図示されてきた。当業者であれば、個々の実施形態の特徴、並びにコンポーネントの可能な組み合わせ及び変形例がわかるであろう。当業者であればさらに、いずれかの実施形態が、ここに開示の他実施形態との任意の組み合わせで与えられることがわかるであろう。理解されることだが、本発明は、その精神又は中心的特徴から逸脱することなく、他の特定の形式で具体化され得る。したがって、本例及び実施形態は、すべての点で例示であって限定的ではないとみなされるべきであり、本発明は、ここに与えられる詳細に限定されるべきでない。ここに使用されるように、「頂」、「上」、「底」、「下」、「前」、「表」、「後」、「側」、「裏」、「近位」、「遠位」等の用語は、例示目的のみを意図しており、実施形態をなんら限定しない。本明細書のいかなる部分も、特許請求の範囲によって明示的に特定されない限り、特定の３次元配向の構造が本発明の範囲内に入る必要があると解釈すべきではない。ここで使用される「複数」との用語は、必要に応じて、選言的又は連言的いずれであっても、無限数までの一よりも大きい任意の数を示す。したがって、特定の実施形態が図示及び説明されてきた一方、本発明の要旨から著しく逸脱することなく多数の修正が想起されるので、保護の範囲は、添付の特許請求の範囲によってのみ制限される。
【図１】
2021532552.tif 000003
【図２】
2021532552.tif 000004
【図３】
2021532552.tif 000005
【図４】
2021532552.tif 000006
【図５】
2021532552.tif 000007
【図６】
2021532552.tif 000008
【図７】
2021532552.tif 000009
【図８】
2021532552.tif 000010
【図９】
2021532552.tif 000011
【図１０】
2021532552.tif 000012
【図１１】
2021532552.tif 000013
【図１２】
2021532552.tif 000014
【手続補正書】
【提出日】令和3年1月28日(2021.1.28)
【手続補正２】
【補正対象書類名】特許請求の範囲
【補正対象項目名】全文
【補正方法】変更
【補正の内容】
【特許請求の範囲】
【請求項１】
オーディオデバイスへの接続のために構成された接続アセンブリであって、
前記オーディオデバイスの嵌合コネクタへの電子接続のために構成されたコネクタ、及び前記コネクタを支持するケーシングを含むコネクタモジュールであって、第１ロック構造を有するコネクタモジュールと、
ラッチ位置とリリース位置との間で可動なラッチであって、前記ラッチ位置では前記ラッチが前記オーディオデバイス及び前記コネクタモジュールに係合して前記コネクタモジュールを前記オーディオデバイスに接続したまま保持するように構成され、前記リリース位置では前記ラッチが前記コネクタモジュールを前記オーディオデバイスに接続したまま保持するようには構成されないラッチと、
前記コネクタモジュールに可動に係合して第１位置と前記第１位置からシフトされた第２位置との間で前記コネクタモジュールに対して可動なアクチュエータであって、前記アクチュエータが前記第２位置まで動いたときに前記ラッチを前記リリース位置まで動かすべく前記ラッチに係合するように構成されたアクチュエータと
を含み、
前記アクチュエータはさらに第２ロック構造を有し、
前記アクチュエータはさらに、自由位置とロック位置との間で可動であり、前記自由位置では、前記第２ロック構造が前記コネクタモジュールの第１ロック構造に係合しないで前記アクチュエータが前記第１位置と前記第２位置との間で可動となり、前記ロック位置では、前記第２ロック構造が前記コネクタモジュールの第１ロック構造に係合して前記アクチュエータの動きに抵抗する、接続アセンブリ。
【請求項２】
前記第１ロック構造と前記第２ロック構造とは相補的な傾斜面を有する、請求項１の接続アセンブリ。
【請求項３】
前記第１ロック構造は第１ねじ部を含み、
前記第２ロック構造は、前記アクチュエータが前記ロック位置にあるときに前記第１ねじ部に係合するように構成された第２ねじ部を含む、請求項１の接続アセンブリ。
【請求項４】
前記アクチュエータが前記自由位置から前記ロック位置へと動く間の前記第１ロック構造と前記第２ロック構造との係合は、前記アクチュエータを前記コネクタモジュールの前記コネクタに向けて軸方向に動かすように構成される、請求項１の接続アセンブリ。
【請求項５】
前記アクチュエータは、前記自由位置から前記ロック位置まで動く第１回転方向の回転と、前記ロック位置から前記自由位置まで動く前記第１回転方向に対向する第２回転方向の回転とを目的として構成され、
前記アクチュエータは、下端から延びる壁を有し、
前記コネクタモジュールは突起を有し、
前記アクチュエータが前記自由位置にあるとき、前記壁が前記突起に当接して前記アクチュエータの前記第２回転方向の回転に抵抗するように構成される、請求項１の接続アセンブリ。
【請求項６】
オーディオデバイスへの接続のために構成された接続アセンブリであって、
前記オーディオデバイスの嵌合コネクタへの電子接続のために構成されたコネクタ、及び前記コネクタを支持するケーシングを含むコネクタモジュールと、
ラッチ位置とリリース位置との間で可動なラッチであって、前記ラッチ位置では前記ラッチが前記オーディオデバイス及び前記コネクタモジュールに係合して前記コネクタモジュールを前記オーディオデバイスに接続したまま保持するように構成され、前記リリース位置では前記ラッチが前記コネクタモジュールを前記オーディオデバイスに接続したまま保持するようには構成されないラッチと、
前記コネクタモジュールに可動に係合して第１位置と前記第１位置からシフトされた第２位置との間で前記コネクタモジュールに対して可動なアクチュエータであって、前記アクチュエータが前記第２位置まで動いたときに前記ラッチを前記リリース位置まで動かすべく前記ラッチに係合するように構成されたアクチュエータと
を含み、
前記アクチュエータはさらに、前記アクチュエータが前記コネクタモジュールと前記オーディオデバイスとの接続を確実にするべく前記オーディオデバイスに係合するように構成される固定位置まで可動である、接続アセンブリ。
【請求項７】
前記アクチュエータが前記固定位置にあるときに前記アクチュエータの前記第２位置までの動きに抵抗するべく前記アクチュエータが第１ロック構造に係合する、請求項６の接続アセンブリ。
【請求項８】
前記第１ロック構造は第１ねじ部を含み、
前記アクチュエータは、前記アクチュエータが前記固定位置にあるときに前記第１ねじ部に係合するように構成された第２ねじ部を含む、請求項７の接続アセンブリ。
【請求項９】
前記アクチュエータの前記第１ロック構造との係合は、前記アクチュエータを前記コネクタモジュールの前記コネクタに向かって動かすことによって前記アクチュエータを前記固定位置まで動かすように構成される、請求項７の接続アセンブリ。
【請求項１０】
オーディオデバイスへの接続のために構成された接続アセンブリであって、
前記オーディオデバイスの嵌合コネクタへの電子接続のために構成されたコネクタ、及び前記コネクタを支持するケーシングを含むコネクタモジュールと、
ラッチ位置とリリース位置との間で可動なラッチであって、前記ラッチ位置では前記ラッチが前記オーディオデバイス及び前記コネクタモジュールに係合して前記コネクタモジュールを前記オーディオデバイスに接続したまま保持するように構成され、前記リリース位置では前記ラッチが前記コネクタモジュールを前記オーディオデバイスに接続したまま保持するようには構成されないラッチと、
前記コネクタモジュールに可動に係合して前記ラッチを前記リリース位置まで動かすべく前記ラッチに係合するように前記コネクタモジュールに対して可動なアクチュエータと
を含み、
前記アクチュエータはさらに自由位置とロック位置との間で可動であり、前記自由位置では前記アクチュエータが前記ラッチに係合して前記ラッチを前記リリース位置まで動かすべく可動であり、前記ロック位置では、前記アクチュエータが前記ラッチに係合する動きに抵抗するべく前記ラッチが第１ロック構造に係合し、
前記自由位置から前記ロック位置までの前記アクチュエータの動きは、前記コネクタモジュールと前記オーディオデバイスとの接続を確実にするべく、前記アクチュエータを前記オーディオデバイスに係合させるように構成される、接続アセンブリ。
【請求項１１】
前記第１ロック構造は第１ねじ部を含み、
前記アクチュエータは、前記アクチュエータが前記ロック位置にあるときに前記第１ねじ部に係合するように構成された第２ねじ部を含む、請求項１０の接続アセンブリ。
【請求項１２】
前記アクチュエータは、前記自由位置と前記ロック位置との間で回転により可動であり、
前記アクチュエータの前記第１ロック構造との係合は、前記アクチュエータを前記コネクタモジュールの前記コネクタに向けて動かすように構成される、請求項１０の接続アセンブリ。
【請求項１３】
前記アクチュエータは、前記自由位置から前記ロック位置まで動く第１回転方向の回転と、前記ロック位置から前記自由位置まで動く前記第１回転方向に対向する第２回転方向の回転とを目的として構成され、
前記アクチュエータは、下端から延びる壁を有し、
前記コネクタモジュールは突起を有し、
前記アクチュエータが前記自由位置にあるとき、前記壁が前記突起に当接して前記アクチュエータの前記第２回転方向の回転に抵抗するように構成される、請求項１０の接続アセンブリ。
【請求項１４】
開口を備えたキャビティを有するハウジングをさらに含み、
前記コネクタモジュールは前記開口の中へと延びて前記コネクタモジュールの第１部分が前記キャビティに受容され、
前記アクチュエータは前記ハウジングの前記キャビティの中に可動に受容される、請求項１から１３のいずれか一項の接続アセンブリ。
【請求項１５】
オーディオデバイスへの接続のために構成された接続アセンブリであって、
前記オーディオデバイスの嵌合コネクタへの電子接続のために構成されたコネクタ及び前記コネクタを支持するケーシングを含むコネクタモジュールであって、前記コネクタモジュールは、第１ロック構造、及び前記ケーシングが支持するラッチを有し、前記ラッチは、ラッチ部及び作動面を有してラッチ位置とリリース位置との間を可動であり、前記ラッチ位置では、前記ラッチ部が前記オーディオデバイスに係合して前記コネクタモジュールを前記オーディオデバイスと接続したまま保持するべく構成され、前記リリース位置では、前記ラッチ部が、前記コネクタモジュールを前記オーディオデバイスに接続したまま保持するようには構成されない、コネクタモジュールと、
開口を備えたキャビティを有するハウジングであって、前記コネクタモジュールが前記開口の中へと延びて前記コネクタモジュールの第１部分が前記キャビティに受容される、ハウジングと、
前記ハウジングのキャビティ内に可動に受容されて第１位置と前記第１位置から軸方向にシフトされた第２位置との間で前記コネクタモジュールに対して軸方向に可動なアクチュエータであって、前記ラッチの作動面に係合して前記アクチュエータが前記第２位置まで動いたときに前記ラッチを前記リリース位置まで動かすように構成された係合面を有するアクチュエータと
を含み、
前記アクチュエータはさらに第２ロック構造を有し、
前記アクチュエータはさらに、自由位置とロック位置との間で回転により可動であり、前記自由位置では、前記第２ロック構造が前記コネクタモジュールの第１ロック構造に係合しないで前記アクチュエータが前記第１位置と前記第２位置との間で可動となり、前記ロック位置では、前記第２ロック構造が前記コネクタモジュールの第１ロック構造に係合して前記アクチュエータの軸方向の動きに抵抗する、接続アセンブリ。
【請求項１６】
前記第１ロック構造と前記第２ロック構造とは相補的な傾斜面を有する、請求項１５の接続アセンブリ。
【請求項１７】
前記第１ロック構造は第１ねじ部を含み、
前記第２ロック構造は、前記アクチュエータが前記ロック位置にあるときに前記第１ねじ部に係合するように構成された第２ねじ部を含む、請求項１５の接続アセンブリ。
【請求項１８】
前記第１ロック構造はさらに、前記第１ねじ部に対向する第３ねじ部を含み、
前記第２ロック構造はさらに、前記第２ねじ部に対向する第４ねじ部を含み、
前記第４ねじ部は、前記アクチュエータが前記ロック位置にあるときに前記第３ねじ部に係合するように構成される、請求項１７の接続アセンブリ。
【請求項１９】
前記ラッチは、前記ラッチ位置と前記リリース位置との間を枢動により可動である、請求項１５の接続アセンブリ。
【請求項２０】
前記アクチュエータが前記自由位置から前記ロック位置へと動く間の前記第１ロック構造と前記第２ロック構造との係合は、前記アクチュエータを前記コネクタモジュールの前記コネクタに向けて軸方向に動かすように構成される、請求項１５の接続アセンブリ。
【請求項２１】
前記アクチュエータは、前記自由位置から前記ロック位置まで動く第１回転方向の回転と、前記ロック位置から前記自由位置まで動く前記第１回転方向に対向する第２回転方向の回転とを目的として構成され、
前記アクチュエータは、下端から延びる壁を有し、
前記コネクタモジュールは突起を有し、
前記アクチュエータが前記自由位置にあるとき、前記壁が前記突起に当接して前記アクチュエータの前記第２回転方向の回転に抵抗するように構成される、請求項１５の接続アセンブリ。
【請求項２２】
前記壁は第１壁部及び第２壁部を含み、
前記第２壁部は、前記第１壁部よりも大きな軸方向長さを有し、
前記アクチュエータが前記自由位置にあるとき、前記第２壁部が、前記突起に当接して前記アクチュエータの前記第２回転方向の回転に抵抗するように構成される、請求項２１の接続アセンブリ。
【請求項２３】
前記壁はさらに、前記第１壁部と前記第２壁部との間に画定されたスロットを有し、
前記アクチュエータが前記自由位置にあるときに前記突起と前記スロットとが整列し、前記アクチュエータが前記第２位置まで動くと前記突起は前記スロットに受容され、
前記アクチュエータが前記第２位置にあるとき、前記第２壁部は前記突起に当接して前記アクチュエータの前記第２回転方向の回転に抵抗するように構成され、前記第１壁部は前記突起に当接して前記アクチュエータの前記第１回転方向の回転に抵抗するように構成される、請求項２２の接続アセンブリ。
【請求項２４】
前記アクチュエータは、内面が画定する中央通路を有するカラーを含み、
前記コネクタモジュールは前記中央通路を貫通する、請求項１から２３のいずれか一項の接続アセンブリ。
【請求項２５】
前記アクチュエータに係合して前記アクチュエータを前記コネクタに向かうように付勢する付勢部材をさらに含む、請求項１から２４のいずれか一項の接続アセンブリ。
【請求項２６】
前記コネクタモジュールはさらに、前記コネクタと通信する電子コンポーネントを含み、
前記ケーシングは前記電子コンポーネントを支持する、請求項１から２５のいずれか一項の接続アセンブリ。
【請求項２７】
マイクロフォンへの接続のために構成された接続アセンブリであって、
前記マイクロフォンのマイクロフォンコネクタへの電子接続のために構成されたコネクタを有する第１端及び前記第１端に対向する第２端と、前記コネクタと通信する電子コンポーネントと、前記コネクタ及び前記電子コンポーネントを支持するケーシングとを含むコネクタモジュールであって、前記コネクタモジュールは、前記ケーシングの外周の一部分にわたって延びる第１ねじ部、及び前記第１ねじ部に対して凹んで前記第１ねじ部に隣接配置された第１通路を形成する第１側壁部を有し、前記コネクタモジュールはさらに、ラッチ部及び前記ラッチ部から離間して作動面を有する作動部を有するラッチを含み、前記ラッチは、ラッチ位置とリリース位置との間を枢動により可動であり、前記ラッチ位置では前記ラッチ部が前記マイクロフォンに係合するべく構成され、前記リリース位置では前記ラッチ部が、前記コネクタモジュールを前記マイクロフォンに接続したまま保持するようには構成されない、コネクタモジュールと、
開口を備えたキャビティを有するハウジングであって、前記コネクタモジュールが前記開口の中へと延び、前記コネクタモジュールの第２端が前記キャビティに受容され、前記ハウジングは、前記開口に対向するエンドキャップと、前記開口の少なくとも一部分のまわりに内向きに延びるリムとを有する、ハウジングと、
内面が画定する中央通路を有するカラーであって、前記コネクタモジュールが前記中央通路を貫通し、前記カラーは、外面から外向きに延びるフランジを有し、前記カラーは前記ハウジングのキャビティ内に可動に受容され、前記カラーは、前記カラーの頂部が前記ハウジングの開口の外へ延びる第１位置と、前記カラーが前記第１位置に対してさらに前記ハウジングの中へと軸方向に動いた第２位置との間で前記コネクタモジュールに対して軸方向に可動であり、前記カラーは前記カラーの内面に係合面を有し、前記係合面は、前記カラーが前記第２位置まで動かされるときに前記ラッチを前記リリース位置まで動かすべく、前記ラッチの作動面に係合するように構成され、前記ハウジングのリムは、前記カラーを前記キャビティの中に保持するべく前記フランジに係合するように構成される、カラーと、
前記ハウジングのエンドキャップと前記カラーとに係合して前記カラーを前記第１位置に向かうように付勢する付勢部材であって、前記第１位置から前記第２位置への前記カラーの動きが前記付勢部材を圧縮するように構成される、付勢部材と
を含み、
前記カラーはさらに前記内面に第２ねじ部を有し、
前記カラーはさらに、自由位置とロック位置との間を回転により可動であり、前記自由位置では、前記第２ねじ部が前記コネクタモジュールの第１通路内に位置して前記カラーが、前記第２ねじ部が前記第１通路内を軸方向に動くべく構成されるように前記第１位置と前記第２位置との間で可動となり、前記ロック位置では、前記第２ねじ部が前記コネクタモジュールの第１ねじ部に係合して前記カラーの軸方向の動きに抵抗し、
前記自由位置から前記ロック位置へ前記カラーが動いている間の前記第１ねじ部と前記第２ねじ部との係合が、前記カラーを前記コネクタモジュールの第１端に向けて軸方向に動かすように構成される、接続アセンブリ。
【請求項２８】
マイクロフォンへの接続のために構成された接続アセンブリであって、
前記マイクロフォンのマイクロフォンコネクタへの電子接続のために構成されたコネクタと、前記コネクタと通信する電子コンポーネントと、前記コネクタ及び前記電子コンポーネントを支持するケーシングとを含むコネクタモジュールであって、前記コネクタモジュールは、前記ケーシングの外周における第１ねじ部及び前記第１ねじ部から分離した第１通路を有し、前記コネクタモジュールはさらに、ラッチ部及び前記ラッチ部から離間して作動面を有する作動部を有するラッチを含み、前記ラッチは、ラッチ位置とリリース位置との間を枢動により可動であり、前記ラッチ位置では前記ラッチ部が前記マイクロフォンに係合して前記コネクタモジュールを前記マイクロフォンに接続したまま保持するべく構成され、前記リリース位置では前記ラッチ部が、前記コネクタモジュールを前記マイクロフォンに接続したまま保持するようには構成されない、コネクタモジュールと、
開口を備えたキャビティを有するハウジングであって、前記コネクタモジュールが前記開口の中へと延びて前記コネクタモジュールの一部分が前記キャビティに受容される、ハウジングと、
内面が画定する中央通路を有するカラーであって、前記コネクタモジュールが前記中央通路を貫通し、前記カラーは前記ハウジングのキャビティ内に可動に受容され、前記カラーは、前記カラーの頂部が前記ハウジングの開口の外へ延びる第１位置と、前記カラーが前記第１位置に対してさらに前記ハウジングの中へと軸方向に動いた第２位置との間で前記コネクタモジュールに対して軸方向に可動であり、前記カラーは前記カラーの内面に係合面を有し、前記係合面は、前記カラーが前記第２位置まで動かされるときに前記ラッチを前記リリース位置まで動かすべく、前記ラッチの作動面に係合するように構成される、カラーと、
前記ハウジング及び前記カラーに係合して前記カラーを前記第１位置に向かうように付勢する付勢部材であって、前記第１位置から前記第２位置への前記カラーの動きが前記付勢部材を圧縮するように構成される、付勢部材と
を含み、
前記カラーはさらに、前記内面に第２ねじ部を有し、
前記カラーはさらに、自由位置とロック位置との間を回転により可動であり、前記自由位置では、前記第２ねじ部が前記コネクタモジュールの第１通路内に位置して前記カラーが、前記第２ねじ部が前記第１通路内を軸方向に動くように前記第１位置と前記第２位置との間で可動となり、前記ロック位置では、前記第２ねじ部が前記コネクタモジュールの前記第１ねじ部に係合して前記カラーの軸方向の動きに抵抗し、
前記自由位置から前記ロック位置へ前記カラーが動いている間の前記第１ねじ部と前記第２ねじ部との係合が、前記カラーを前記コネクタモジュールのコネクタに向けて軸方向に動かすように構成される、接続アセンブリ。
【請求項２９】
マイクロフォンアセンブリであって、
オーディオ受信器と、前記オーディオ受信器に接続されたマイクロフォン本体と、前記マイクロフォン本体に接続されて前記オーディオ受信器と通信するマイクロフォンコネクタとを含むマイクロフォンであって、前記マイクロフォン本体は、前記マイクロフォンコネクタに近接する付加係合面を有する、マイクロフォンと、
請求項１〜２８のいずれか一項に記載の接続アセンブリと
を含み、
前記マイクロフォンコネクタは、前記接続アセンブリの前記コネクタに接続されるように構成され、
前記接続アセンブリの前記ラッチは、前記ラッチが前記ラッチ位置にあるときに前記マイクロフォンの前記付加係合面に係合するように構成される、マイクロフォンアセンブリ。
【請求項３０】
マイクロフォンアセンブリであって、
オーディオ受信器と、前記オーディオ受信器に接続されたマイクロフォン本体と、前記マイクロフォン本体に接続されて前記オーディオ受信器と通信するマイクロフォンコネクタとを含むマイクロフォンであって、前記マイクロフォン本体は、前記マイクロフォンコネクタに近接する係合面を有する、マイクロフォンと、
前記マイクロフォンへの接続のために構成された接続アセンブリと
を含み、
前記接続アセンブリは、
前記マイクロフォンコネクタへの電子接続のために構成されたコネクタと、前記コネクタと通信する電子コンポーネントと、前記コネクタ及び前記電子コンポーネントを支持するケーシングとを含むコネクタモジュールであって、前記コネクタモジュールは、前記ケーシングの外周における第１ねじ部及び前記第１ねじ部から分離した第１通路を有し、前記コネクタモジュールはさらに、ラッチ部及び前記ラッチ部から離間して作動面を有する作動部を有するラッチを含み、前記ラッチは、ラッチ位置とリリース位置との間を枢動により可動であり、前記ラッチ位置では前記ラッチ部が前記マイクロフォンに係合して前記コネクタモジュールを前記マイクロフォンに接続したまま保持するべく構成され、前記リリース位置では前記ラッチ部が、前記コネクタモジュールを前記マイクロフォンに接続したまま保持するようには構成されない、コネクタモジュールと、
開口を備えたキャビティを有するハウジングであって、前記コネクタモジュールが前記開口の中へと延びて前記コネクタモジュールの一部分が前記キャビティに受容され、前記ハウジングは、前記ハウジングの内部の少なくとも一部分のまわりに内向きに延びるリムを有する、ハウジングと、
内面が画定する中央通路を有するカラーであって、前記コネクタモジュールが前記中央通路を貫通し、前記カラーは、外面から外向きに延びるフランジを有し、前記カラーは前記ハウジングのキャビティ内に可動に受容され、前記カラーは、前記カラーの頂部が前記ハウジングの開口の外へ延びて前記ハウジングのリムが前記フランジに係合して前記カラーの前記開口を通る外向きへのさらなる動きを制限する第１位置と、前記カラーが前記第１位置に対してさらに前記ハウジングの中へと軸方向に動いた第２位置との間で前記コネクタモジュールに対して軸方向に可動であり、前記カラーは前記カラーの内面に係合面を有し、前記係合面は、前記カラーが前記第２位置まで動かされるときに前記ラッチを前記リリース位置まで動かすべく、前記ラッチの作動面に係合するように構成される、カラーと、
前記ハウジング及び前記カラーに係合して前記カラーを前記第１位置に向かうように付勢する付勢部材であって、前記第１位置から前記第２位置への前記カラーの動きが前記付勢部材を圧縮するように構成される、付勢部材と
を含み、
前記カラーはさらに、前記内面に第２ねじ部を有し、
前記カラーはさらに、自由位置とロック位置との間を回転により可動であり、前記自由位置では、前記第２ねじ部が前記コネクタモジュールの第１通路内に位置して前記カラーが、前記第２ねじ部が前記第１通路内を軸方向に動くように前記第１位置と前記第２位置との間で可動となり、前記ロック位置では、前記第２ねじ部が前記コネクタモジュールの前記第１ねじ部に係合して前記カラーの軸方向の動きに抵抗し、
前記自由位置から前記ロック位置へ前記カラーが動いている間の前記第１ねじ部と前記第２ねじ部との係合が、前記カラーを前記マイクロフォンに向けて軸方向に動かして前記カラーを、前記マイクロフォンに密接に係合するように押し込むように構成される、マイクロフォンアセンブリ。
【国際調査報告】
2021532552.tif 000015
2021532552.tif 000016